(57)【特許請求の範囲】
【請求項１】
複数の時間周波数リソースを含むサブフレームにおける、少なくとも１つのアンテナポートを介して情報エンティティを受信するための受信機のための方法であって、前記情報エンティティは、無線通信システムにおける無線ネットワークノードにより送信され、前記情報エンティティの復号は、また、前記複数の時間周波数リソースの複数の位置のセットを含むＤＭ−ＲＳパターンを含む復調参照信号(ＤＭ−ＲＳ)の受信により可能とされ、前記ＤＭ−ＲＳパターンにおける前記複数の位置は、前記情報エンティティの受信のための少なくとも１つのアンテナポートと関連付けられ、
チャネル推定に利用される割り当てられるＤＭ−ＲＳパターンに関連する情報を取得するステップであって、前記割り当てられたＤＭ−ＲＳパターンは少なくとも２つの区別できるＤＭ−ＲＳパターンの定義されたセットから、前記無線ネットワークノードにより割り当てられ、
少なくとも１つのサブフレームに対して定義される前記少なくとも２つの区別できるＤＭ−ＲＳパターンのセットは、第１の参照信号密度を有する第１のＤＭ−ＲＳパターンと、第２の参照信号密度を有する第２のＤＭ−ＲＳパターンとを含み、第２の参照信号密度は第１の参照信号密度より高く又は低く、さらに前記第２のＤＭ−ＲＳパターンは、ＤＭ−ＲＳシンボルの時間・周波数リソースを前記第１のＤＭ−ＲＳパターンに追加する又は削除することにより、及び／又は前記第１のＤＭ−ＲＳパターンのアンテナポートマッピングを再定義することにより生成され、または
少なくとも１つのサブフレームに対して定義される前記少なくとも２つの区別できるＤＭ−ＲＳパターンのセットは、時間領域及び／又は周波数領域における時間・周波数リソースの第１の位置分布を有する第１のＤＭ−ＲＳパターンと、時間領域及び／又は周波数領域における時間・周波数リソースの第２の位置分布を有する第２のＤＭ−ＲＳパターンとを含み、時間領域及び／又は周波数領域における時間・周波数リソースの第２の位置分布は、時間領域及び／又は周波数領域における時間・周波数リソースの前記第１の位置分布を位置変更することにより生成される
ステップ；及び
チャネル推定に利用される前記割り当てられるＤＭ−ＲＳパターンと関連付けられたアンテナポートにおいて、前記無線ネットワークノードから前記情報エンティティを受信するステップ、
を含む、方法。
【請求項２】
前記少なくとも１つのサブフレームについて、異なる複数のＤＭ−ＲＳパターンが異なる複数の受信機に取得可能であるように、前記ＤＭ−ＲＳパターンは、受信機に固有である、
請求項１に記載の方法。
【請求項３】
前記少なくとも１つのサブフレームについて、同じ複数のＤＭ−ＲＳパターンが異なる複数の受信機に対して割り当て可能であるように、前記ＤＭ−ＲＳパターンは、セル固有である、
請求項１に記載の方法。
【請求項４】
そのキャリアで送信される参照信号の種別により決定されるキャリア種別に基づき、前記ＤＭ−ＲＳパターンはセル固有である、
請求項１に記載の方法。
【請求項５】
前記ＤＭ−ＲＳパターンは、事前に定められた規則に基づき、チャネル推定に利用される、
請求項１に記載の方法。
【請求項６】
前記無線通信システムはロングタームエボルーション、ＬＴＥ、システムであり；前記受信機はユーザ装置、ＵＥ、であり；前記無線ネットワークノードは、拡張ノードＢ、ｅＮｏｄｅＢである、
請求項１から５のいずれか１項に記載の方法。
【請求項７】
複数の時間周波数リソースを含むサブフレームの中の少なくとも１つのアンテナポートを介して情報エンティティであって、無線通信システムの中の受信機により受信される、情報エンティティ、を送信するための無線ネットワークノードのための方法であって、前記受信機による前記情報エンティティの復調は、また、前記複数の時間周波数リソースの複数の位置のセットを含むＤＭ−ＲＳパターンを含む復調参照信号（ＤＭ−ＲＳ）の送信によって可能とされ、前記ＤＭ−ＲＳパターンの中の前記複数の位置は、前記情報エンティティの送信のための少なくとも１つのアンテナポートと関連付けられ、
少なくとも１つのサブフレームに対して、少なくとも２つの異なるＤＭ−ＲＳパターンのセットを定めるステップであって、
少なくとも１つのサブフレームに対して定義される前記少なくとも２つの区別できるＤＭ−ＲＳパターンのセットは、第１の参照信号密度を有する第１のＤＭ−ＲＳパターンと、第２の参照信号密度を有する第２のＤＭ−ＲＳパターンとを含み、第２の参照信号密度は第１の参照信号密度より高く又は低く、さらに前記第２のＤＭ−ＲＳパターンは、ＤＭ−ＲＳシンボルの時間・周波数リソースを前記第１のＤＭ−ＲＳパターンに追加する又は削除することにより、及び／又は前記第１のＤＭ−ＲＳパターンのアンテナポートマッピングを再定義することにより生成され、または
少なくとも１つのサブフレームに対して定義される前記少なくとも２つの区別できるＤＭ−ＲＳパターンのセットは、時間領域及び／又は周波数領域における時間・周波数リソースの第１の位置分布を有する第１のＤＭ−ＲＳパターンと、時間領域及び／又は周波数領域における時間・周波数リソースの第２の位置分布を有する第２のＤＭ−ＲＳパターンとを含み、時間領域及び／又は周波数領域における時間・周波数リソースの第２の位置分布は、時間領域及び／又は周波数領域における時間・周波数リソースの前記第１の位置分布を位置変更することにより生成される
ステップ；
前記定義された複数のＤＭ−ＲＳパターンのセットから１つのＤＭ−ＲＳパターンを前記受信機に対して割り当てるステップ；
前記割り当てられたＤＭ−ＲＳパターンと関連付けられた前記少なくとも１つのアンテナポートにおいて前記情報エンティティを送信するステップ；
を含む、方法。
【請求項８】
前記少なくとも１つのサブフレームについて、異なる複数のＤＭ−ＲＳパターンが異なる複数の受信機に割り当て可能であるように、前記割り当てられたＤＭ−ＲＳパターンは、受信機に固有である、
請求項７に記載の方法。
【請求項９】
前記少なくとも１つのサブフレームについて、同じ複数のＤＭ−ＲＳパターンが異なる複数の受信機に対して割り当て可能であるように、前記割り当てられたＤＭ−ＲＳパターンは、セル固有である、
請求項７に記載の方法。
【請求項１０】
前記割り当てられたセル固有のＤＭ−ＲＳパターンは、そのキャリアで送信される参照信号の種別により決定される、
請求項９に記載の方法。
【請求項１１】
前記無線ネットワークノードによりサービスの提供を受ける異なる複数のセルにおいて、マルチキャリアシナリオにおける受信機に対して、複数のＤＭ−ＲＳパターンの異なる複数のセットが定められ、異なる複数のキャリアの前記異なる複数のセットの結合は少なくとも２つの異なるＤＭ−ＲＳパターンを含む、
請求項７に記載の方法。
【請求項１２】
前記ＤＭ−ＲＳパターンは、事前に定められた規則に基づき、前記受信機に割り当てられる、
請求項７から１１のいずれか１項に記載の方法。
【請求項１３】
前記無線通信システムはロングタームエボルーション、ＬＴＥ、システムであり；前記受信機はユーザ装置、ＵＥ、であり；前記無線ネットワークノードは、拡張ノードＢ、ｅＮｏｄｅＢである、
請求項７から１２のいずれか１項に記載の方法。
【請求項１４】
複数の時間周波数リソースを含むサブフレームにおいて、少なくとも１つのアンテナポートを介して、情報エンティティを受信するために構成される受信機であって、前記情報エンティティは、無線通信システムにおける無線ネットワークノードにより送信され、前記情報エンティティの復号は、また、前記複数の時間周波数リソースの複数の位置のセットを含むＤＭ−ＲＳパターンを含む復調参照信号（ＤＭ−ＲＳ）を受信することにより可能とされ、前記ＤＭ−ＲＳパターンの中の前記複数の位置は、前記情報エンティティの受信のための少なくとも１つのアンテナポートと関連付けられ、
チャネル推定のために利用される割り当てられたＤＭ−ＲＳパターンに関する情報を取得するように構成される処理回路であって、前記割り当てられたＤＭ−ＲＳパターンは少なくとも２つの区別できるＤＭ−ＲＳパターンの定義されたセットから、前記無線ネットワークノードにより割り当てられ、
少なくとも１つのサブフレームに対して定義される前記少なくとも２つの区別できるＤＭ−ＲＳパターンのセットは、第１の参照信号密度を有する第１のＤＭ−ＲＳパターンと、第２の参照信号密度を有する第２のＤＭ−ＲＳパターンとを含み、第２の参照信号密度は第１の参照信号密度より高く又は低く、さらに前記第２のＤＭ−ＲＳパターンは、ＤＭ−ＲＳシンボルの時間・周波数リソースを前記第１のＤＭ−ＲＳパターンに追加する又は削除することにより、及び／又は前記第１のＤＭ−ＲＳパターンのアンテナポートマッピングを再定義することにより生成され、または
少なくとも１つのサブフレームに対して定義される前記少なくとも２つの区別できるＤＭ−ＲＳパターンのセットは、時間領域及び／又は周波数領域における時間・周波数リソースの第１の位置分布を有する第１のＤＭ−ＲＳパターンと、時間領域及び／又は周波数領域における時間・周波数リソースの第２の位置分布を有する第２のＤＭ−ＲＳパターンとを含み、時間領域及び／又は周波数領域における時間・周波数リソースの第２の位置分布は、時間領域及び／又は周波数領域における時間・周波数リソースの前記第１の位置分布を位置変更することにより生成される
処理回路；及び
前記取得された割り当てられたＤＭ−ＲＳパターンと関連付けられるアンテナポートにおいて、前記無線ネットワークノードから前記情報エンティティを受信するように構成される受信部、
を備える、受信機。
【請求項１５】
複数の時間周波数リソースを含むサブフレームの中において、少なくとも１つのアンテナポートを介しての情報エンティティを送信するための無線ネットワークノードであって、前記情報エンティティは、無線通信システムにおける受信機により受信され、前記受信機による前記情報エンティティの復調は、また、前記複数の時間周波数リソースの複数の位置のセットを含むＤＭ−ＲＳパターンを含む復調参照信号、ＤＭ−ＲＳ、の送信により可能とされ、前記ＤＭ−ＲＳパターンの中の前記複数の位置は、前記情報エンティティの送信のための少なくとも１つのアンテナポートと関連付けられ、
少なくとも１つのサブフレームに対して、少なくとも２つの異なるＤＭ−ＲＳパターンのセットを定めるように構成される処理回路であって、
少なくとも１つのサブフレームに対して定義される前記少なくとも２つの区別できるＤＭ−ＲＳパターンのセットは、第１の参照信号密度を有する第１のＤＭ−ＲＳパターンと、第２の参照信号密度を有する第２のＤＭ−ＲＳパターンとを含み、第２の参照信号密度は第１の参照信号密度より高く又は低く、さらに前記第２のＤＭ−ＲＳパターンは、ＤＭ−ＲＳシンボルの時間・周波数リソースを前記第１のＤＭ−ＲＳパターンに追加する又は削除することにより、及び／又は前記第１のＤＭ−ＲＳパターンのアンテナポートマッピングを再定義することにより生成され、または
少なくとも１つのサブフレームに対して定義される前記少なくとも２つの区別できるＤＭ−ＲＳパターンのセットは、時間領域及び／又は周波数領域における時間・周波数リソースの第１の位置分布を有する第１のＤＭ−ＲＳパターンと、時間領域及び／又は周波数領域における時間・周波数リソースの第２の位置分布を有する第２のＤＭ−ＲＳパターンとを含み、時間領域及び／又は周波数領域における時間・周波数リソースの第２の位置分布は、時間領域及び／又は周波数領域における時間・周波数リソースの前記第１の位置分布を位置変更することにより生成され、
且つ前記定義された複数のＤＭ−ＲＳパターンのセットから、１つのＤＭ−ＲＳパターンを前記受信機に割り当てるようにさらに構成される処理回路；
前記割り当てられたＤＭ−ＲＳパターンと関連付けられた少なくとも１つのアンテナポートにおいて前記情報エンティティを送信するために構成される送信部、
を備える、無線ネットワークノード。
【請求項１６】
処理回路にロードされたとき、前記処理回路に請求項１から１３のいずれか１項に記載の方法を実行させるコンピュータプログラム。
【発明の詳細な説明】
【技術分野】
【０００１】
本明細書に記載される複数の実施は、一般に、無線ネットワークノード、無線ネットワークノードにおける方法、受信機及び受信機における方法に関連する。特に、本明細書において、受信機に割り当てられるＤＭ−ＲＳパターンに関連付けられるアンテナポートにおける、無線ネットワークノードから受信機への情報の伝送のメカニズムが説明される。
【背景技術】
【０００２】
ユーザ装置（Ｕｓｅｒ  Ｅｑｕｉｐｍｅｎｔ、ＵＥ）、移動局、無線端末、及び／又は携帯端末としても知られる受信機は、場合によってはセルラ無線システムとも呼ばれる無線通信システムにおいて無線で通信することを可能にする。通信は、例えば、２つの受信機の間、受信機と有線で接続される電話機との間、及び／又は受信機とサーバとの間で、無線アクセスネットワーク（ＲＡＮ）及び場合によっては１つ以上のコアネットワークを経由して行うことができる。
【０００３】
受信機は、さらに、携帯電話、セルラー電話、無線機能を有するコンピュータタブレット又はラップトップのことであってもよい。この文脈における複数のＵＥは、無線アクセスネットワーク経由で他の受信機又はサーバ等の他のエンティティと音声及び／又はデータを通信することを可能とする、例えば、ポータブルモバイルデバイス、ポケット格納可能なモバイルデバイス、ハンドヘルドモバイルデバイス、コンピュータで構成されるモバイルデバイス、又は車載のモバイルデバイスであってもよい。
【０００４】
無線通信システムは、複数のセル領域に分割される地理的エリアをカバーし、各セルアリアは、無線ネットワークノード又はＲａｄｉｏ  Ｂａｓｅ  Ｓｔａｔｉｏｎ（ＲＢＳ）等の基地局によりサービスの提供を受け、これについては、使用される技術及び用語に応じて、一部のネットワークでは、送信機、「ｅＮＢ」、「ｅＮｏｄｅＢ」、「ＮｏｄｅＢ」又は「Ｂ  ｎｏｄｅ」と呼ばれてもよい。複数の無線ネットワークノードは、送信電力及び、また、それに関するセルサイズに基づき、例えば、マクロｅＮｏｄｅＢ、ホームｅＮｏｄｅＢ又はピコ基地局等の、異なる複数のクラスのものであってもよい。セルは、無線カバレッジが基地局サイトにおける無線ネットワークノード／基地局により提供される地理的エリアである。基地局サイトに位置する１つの無線ネットワークノードは、１つ又はいくつかのセルに対してサービスを提供してもよい。複数の無線ネットワークノードは、それぞれの無線ネットワークノードの範囲内の複数の受信機と無線周波数で動作するエアインターフェースを介して通信する。
【０００５】
いくつかの無線アクセスネットワークにおいて、いくつかの無線ネットワークノードは、固定電話回線又はマイクロ波により、例えば、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）における、無線ネットワーク制御装置（Ｒａｄｉｏ  Ｎｅｔｗｏｒｋ  Ｃｏｎｔｒｏｌｌｅｒ（ＲＮＣ））と接続されてもよい。ＧＳＭ（登録商標）における場合のように、場合によっては基地局制御装置（Ｂａｓｅ  Ｓｔａｔｉｏｎ  Ｃｏｎｔｒｏｌｌｅｒ、ＢＳＣ）と呼ばれるＲＮＣは、それに接続される複数の無線ネットワークノードの各種活動を管理及び調整してもよい。ＧＳＭ（登録商標）とは、汎欧州デジタル移動電話方式（Ｇｌｏｂａｌ  Ｓｙｓｔｅｍ  ｆｏｒ  Ｍｏｂｉｌｅ  Ｃｏｍｍｕｎｉｃａｔｉｏｎｓ、元々は、Ｇｒｏｕｐ  Ｓｐｅｃｉａｌ  Ｍｏｂｉｌｅ）の略称である。
【０００６】
第３世代パートナーシッププロジェクト（３ＧＰＰ）ロングタームエボルーションにおいて、複数のｅＮｏｄｅＢ又は複数のｅＮＢと呼ばれてもよい複数の無線ネットワークノードは、１つ以上のコアネットワークに対するゲートウェイに接続されてもよい。
【０００７】
この文脈において、ダウンリンク、ダウンストリームリンク、又はフォワードリンク等といった表現は、無線ネットワークノードから受信機への伝送路に対して使用されてもよい。上りリンク、アップストリームリンク、又はリバースリンクといった表現は、逆方向における伝送路、すなわち、受信機から無線ネットワークノードへの伝送路に対して使用されてもよい。
【０００８】
同一の物理的な通信媒体上で、フォワード通信チャネルとリバース通信チャネルとを分割するために、無線通信システムで通信する場合に、例えば、周波数分割デュプレックス（ＦＤＤ）及び／又は時分割デュプレックス（ＴＤＤ）等の、デュプレックス方式が適用されてもよい。ＦＤＤ方式は、上りリンクの伝送と下りリンクの伝送との間の干渉を回避するために、十分に分離された複数の周波数帯域にわたって使用される。ＴＤＤでは、上りリンクのトラフィックと下りリンクのトラフィックは、同じ周波数帯域で送信されるが、異なる時間間隔において送信される。従って、ＴＤＤ送信の時間次元において、上りリンクのトラフィックと下りリンクのトラフィックとは、場合によっては、上りリンクの伝送と下りリンクの伝送の間のガード期間（Ｇｕａｒｄ  Ｐｅｒｉｏｄ、ＧＰ）を伴って、互いに分離されて送信される。上りリンクと下りリンクとの間の干渉を回避するために、同じエリアにおける複数の無線ネットワークノード及び／又は複数の受信機に対して、異なる複数のセルの中の複数の無線ネットワークノードと複数の受信機との間の上りリンクの伝送及び下りリンクの伝送は、共通の時間基準に対する同期及び上りリンク及び下りリンクに対する複数のリソースの同じ割り当ての使用により調整されてもよい。
【０００９】
データのコヒーレントな復号を可能とするために、無線ネットワークノード（例えば、ｅＮｏｄｅＢ）は、パイロット信号として知られる、事前に定められた参照信号を受信機（例えば、ＵＥ）に対して送信しなければならない。参照信号は情報を符号化しなくてもよく、そして典型的には、例えば、事前に定められていることにより、受信機により知られている。複数の変調シンボル及び送信される参照信号の時間−周波数位置の事前情報を使用して、受信機は、受信した参照信号に基づき、復調前のチャネル等化に対して使用され得る複数のチャネル推定値（例えば、チャネル周波数応答の位相及び振幅）を取得してもよい。
【００１０】
従来技術の３ＧＰＰ  ＬＴＥシステムにおいて、複数の送信及び受信アンテナがサポートされ、そしてアンテナポートの概念が使用される。各ダウンリンクのアンテナポートは、固有の参照信号と関連付けられる。アンテナポートは、必ずしも物理アンテナに対応しなくてもよく、そして１つのアンテナポートは、１つ以上の物理アンテナと関連付けられてもよい。いずれの場合においても、参照信号は、同じアンテナポートで送信されるデータについてのチャネル推定に対して使用されてもよい。従って、チャネル推定は、データ送信のために使用される全てのアンテナポートに対して実行されてもよい。
【００１１】
ＬＴＥにおいて、送信に使用することのできる最小の時間周波数エンティティは、リソースエレメント（ＲＥ）と呼ばれ、これはサブキャリア上の複素数値変調シンボルを搬送することができる。リソースブロック（ＲＢ）は、複数のＲＥのセットを含み、０．５ｍｓの期間（例えば、７つの直交周波数分割多重（ＯＦＤＭ）シンボル）であり且つ１８０ｋＨｚの帯域幅（例えば、１５ｋＨｚ間隔の１２サブキャリア）である。システムの送信帯域幅は、複数のＲＢのセットに分割される。各ユーザデータの送信は、１つ又は複数のＲＢにおいて、１ｍｓの期間（それはまた、サブフレームとも呼ばれる）において実行される。
【００１２】
ＯＦＤＭは、複数のキャリア周波数においてデジタルデータを符号化する方法である。ＯＦＤＭは、デジタルマルチキャリア変調方式として使用される周波数分割多重（ＦＤＭ）方式である。密集した多数の直交サブキャリア信号がデータを伝送するために使用される。データは、各サブキャリアに対して１つずつ、いくつかの並列データストリーム又はチャネルに分割される。
【００１３】
ＯＦＤＭは、無線であるか銅線によるかにかかわらず、広帯域デジタル通信に対する一般的な方式として発展しており、デジタルテレビ及び音声放送、デジタル加入者線（ＤＳＬ、元々は、Ｄｉｇｉｔａｌ  Ｓｕｂｓｃｒｉｂｅｒ  Ｌｏｏｐ）ブロードバンドインターネットアクセス、複数の無線ネットワーク、及び４Ｇの移動通信等の、複数のアプリケーションにおいて使用されている。
【００１４】
ＬＴＥの下りリンクにおいて、例えば以下のように、いくつかのリファレンス信号が定義されている：
共通参照信号（Ｃｏｍｍｏｎ  Ｒｅｆｅｒｅｎｃｅ  Ｓｉｇｎａｌ、ＣＲＳ）
ＣＲＳは、セル固有の参照信号であり、全てのサブフレームの中で、且つ搬送波の全てのＲＢにおいて送信される。ＣＲＳは、特に、復号；チャネル状態情報測定；時間及び周波数同期、及び／又は無線リソース管理（ＲＲＭ）及びモビリティ管理を含む、いくつかの目的に対して、参照信号としての役割を果たす。
【００１５】
最大で４つのＣＲＳアンテナポートが含まれてもよい。ＣＲＳは、複数の目的のために提供されるので、かなり堅牢であり、そして従って非常に大きな密度を有する。欠点は、そのオーバヘッドがかなり大きいということであり、他の方法ではデータを送信するために利用可能な複数のリソースがＣＲＳのリファレンスシグナリング専用とされるので、これにより無線通信システムの一般的な効率が低下する。
【００１６】
複数のアンテナの場合、異なる複数のアンテナに対して異なる複数の複素数値のプリコーダ重みを適用することにより、ビームフォーミングを達成することができる。しかしながら、ＣＲＳはセル固有であるため、ＵＥ固有にプリコードすることができない、すなわち、いかなるビームフォーミング利得を達成することもできない。他方、物理下りリンク共有チャネル（ＰＤＳＣＨ）等のデータチャネルにおけるユーザデータは、セル固有ではないので、ビームフォーミングを受けてもよい。
【００１７】
その後、ＬＴＥシステムにおいて、それぞれ特定の目的を持つ２つの新しい参照信号を含む、基準信号設計に対する異なる手法が導入された。
【００１８】
チャネル状態情報参照信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ、ＣＳＩ−ＲＳ）
ＣＳＩ−ＲＳは、チャネル品質インジケータ（ＣＱＩ）、プリコーディングマトリクスインジケータ（ＰＭＩ）、及び／又はランク表示（ＲＩ）等、受信機が無線ネットワークノード（ｅＮｏｄｅＢ）に通知する送信品質指標の手段による、チャネル状態情報を評価するためだけに使用される低密度のＵＥ固有の参照信号である。ＣＳＩ−ＲＳは、搬送波の全てのＲＢの中で送信されてもよいが、時間的に設定可能な周期で送信されてもよく、そしてＣＲＳよりもはるかに低密度である。最大で８つのＣＳＩ−ＲＳアンテナポートが含まれてもよい。
【００１９】
復調参照信号（Ｄｅｍｏｄｕｌａｔｉｏｎ  Ｒｅｆｅｒｅｎｃｅ  Ｓｉｇｎａｌ、ＤＭ−ＲＳ）
ＤＭ−ＲＳは、コヒーレント復調に対する位相及び振幅の基準についてのみ使用される受信機固有の参照信号であり、すなわち、チャネル推定において使用される。ＣＲＳとは対照的に、受信機がデータをスケジュールした（すなわち、ＰＤＳＣＨを含む）複数のＲＢ及びサブフレームの中でのみ送信される。最大で８つのＤＭ−ＲＳアンテナポートが含まれてもよい。複数のアンテナポート（７−１４とラベルされる）が、周波数と直交カバーコードによる双方で多重化される。これは受信機に固有であるため、ＤＭ−ＲＳは、ＰＤＳＣＨに対して使用されるものと同じプリコーダによりプリコードされてもよく、従ってこの参照信号に対するビームフォーミング利得を達成することができる。複数のデータシンボルに対して複数の参照信号シンボルに対するものと同じプリコーダを使用する場合、プリコーディングは、プリコーダをチャネルの一部として観測する受信機に対して透過的になる。従って、プリコーダは、受信機に対してはシグナリングされない。典型的には、異なる複数のプリコーダが異なる複数のＲＢにおいて使用されてもよく、このことは複数のＲＢの間でチャネル推定が補間できないことを意味する。しかしながら、システムは、同じプリコーダが連続する複数のＲＢのセット（すなわち、ＲＢバンドリング）に対して使用されるようにＵＥを構成してもよい。これは、チャネル推定の性能を向上するために、複数のＲＢの間の周波数領域における補間を可能としてもよい。時間領域において、そのようなプリコーダの制限は適用されず、且つ複数のサブフレーム間のチャネル推定の補間を実行することはできない。
【００２０】
追加的に、ＤＭ−ＲＳはまた、例えば、ＣＲＳベースの復調を適用しない拡張物理下りリンク制御チャネル（ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ、ｅＰＤＣＣＨ）等の、複数の下りリンクの制御チャネルのいくつかに対する復調基準として利用される。現在、ＰＤＣＣＨと対称的に、ｅＰＤＣＣＨに対して標準化された送信ダイバーシティ方式は存在しない。従って、厳しいチャネル条件の下では、ｅＰＤＣＣＨの性能は、ＣＲＳベースのＰＤＣＣＨよりも悪くなり得る。従って、ＣＲＳが存在しない場合、ｅＰＤＣＣＨの信頼できる動作をＤＭ−ＲＳがサポートすることが重要となる。
【００２１】
従来のＬＴＥシステムでは、構成されるＣＳＩ−ＲＳアンテナポート及びＤＭ−ＲＳアンテナポートの数にかかわらず、少なくとも１つのＣＲＳポートが常に送信される。従って、ＤＭ−ＲＳが復調の参照信号として使用されるとしても、ＣＲＳは送信される。
【００２２】
また、ＬＴＥシステムは、キャリアアグリゲーションが可能であり、受信機は、複数の下りリンクのコンポーネントキャリア（これらはまた、複数のサービングセルと参照されてもよい）を同時に受信することができる。複数のサービングセル／複数のキャリアのうちの１つは、プライマリセル（ＰＣｅｌｌ）と呼ばれ、そして他の複数のセル／複数のキャリアは複数のセカンダリセル（複数のＳＣｅｌｌ）である。如何なるＣＲＳアンテナポートも送信しない複数のセル（例えば、複数のＳＣｅｌｌ）を定義することが提案されている。従って、そのような複数のセルに対して、データチャネル及びダウンリンク制御チャネル伝送は、ＤＭ−ＲＳベースの復調に依存しなければならないことになる。
【００２３】
従来技術
ＬＴＥの複数のＤＭ−ＲＳ時間周波数パターンは、技術仕様：３ＧＰＰ  ＴＳ３６．２１１（ｈｔｔｐ：／／ｗｗｗ．３ｇｐｐ．ｏｒｇからインターネット経由で取得可能である）、において定義されている。
【００２４】
図１は、通常のサイクリックプレフィックス長で構成された複数のセルに対する、全ての通常のサブフレームについて、ＦＤＤ及びＴＤＤの双方に使用されるＤＭ−ＲＳパターンを示す。アンテナポート７、８、１１及び１３は、同じ複数のＲＥにおいて送信され、且つ異なる複数の直交系列により分離される。アンテナポート９、１０、１２及び１４は、他の複数のＲＥのセットにおいて送信され、且つ異なる複数の直交系列により分離される。
【００２５】
ＴＤＤの場合、通常の複数のサブフレームに加えて、フレーム構造は、下りリンクの送信のための第１の部分を含む複数の特殊サブフレーム；ダウンリンクパイロットタイムスロット（ＤｗＰＴＳ）、ガード期間（ＧＰ）及び上りリンクの送信のための第２の部分；アップリンクパイロットタイムスロット（ＵｐＰＴＳ）を含む。異なる複数の部分の持続時間は異なってもよく、且つシステムにより設定可能であってもよい。
【００２６】
追加的な複数のＤＭ−ＲＳパターンが複数の特殊サブフレームにおいて使用されてもよく、その状況が図２において示される。前に考察された図１において示されるＤＭ−ＲＳパターンの例との比較において、図２に示されるＤＭ−ＲＳパターンの相違は、複数のＯＦＤＭシンボルの他のセットが複数のＤＭ−ＲＳシンボルを含む、ということである。複数のＤＭ−ＲＳシンボルの複数の時間周波数位置は、ＲＢの全てのＲＥにおいて正確な複数のチャネル推定値が得られるように配置される。しかしながら、これらのパターンについて、いくつかの制約条件もまた設計の一部となっている。例えば、複数のＤＭ−ＲＳシンボルは、ＣＲＳと同じ複数のＯＦＤＭシンボルには配置されなくてもよい。また、ＬＴＥシステムにおいて、下りリンクの制御領域であって、サブフレームの最初の４つのＯＦＤＭシンボルにおいて複数の制御チャネル（例えば、ＰＤＣＣＨ）が送信されてもよく且つこれら複数のＯＦＤＭシンボルにおいては、ＤＭ−ＲＳを配置することができない、下りリンクの制御領域、が存在する。ＴＤＤの複数の特殊サブフレームにおいては、通常の複数のサブフレームにおけるよりも、下りリンクの制御領域は短い。従って、それぞれ、図２及び図１の複数のＤＭ−ＲＳパターンの示される複数の例を比較した場合に理解できるように、サブフレームの中において時間的により前に複数のＤＭ−ＲＳシンボルを配置することができる。また、ＤｗＰＴＳは、サブフレームの開始における複数のＯＦＤＭシンボルのセットを構成し、そしてＤＭ−ＲＳをこの複数のシンボルのセット（すなわち、ＧＰ又はＵｐＰＴＳの中）の外部に配置することはできない。
【００２７】
従来技術のＬＴＥシステムにおいて、ＤＭ−ＲＳは、複数のＲＢの中でのみ送信され、ＰＤＳＣＨは受信機に対してスケジュールされる。ＦＤＤにおいて、ＤＭ−ＲＳパターンは全てのサブフレームにおいて同じである。ＴＤＤにおいて、全ての通常のサブフレームにおいてＤＭ−ＲＳパターンはＦＤＤの場合と同様であるが、複数の特殊サブフレームにおいて異なる複数のパターンが使用される。いずれの所定のサブフレームにおいても、ＤＭ−ＲＳパターンは全ての受信機に対して同じである。
【発明の概要】
【発明が解決しようとする課題】
【００２８】
従来のＬＴＥシステムでは、ＣＲＳ及びＤＭ−ＲＳの両方が送信され、これは高いオーバーヘッド、低下したスループット及び低下したシステム全体の効率につながる。
【００２９】
これは、信号の伝搬条件が変更される全ての種類の状況下において、過大なオーバヘッドに帰着することなく、データチャネル及び複数の制御チャネルに対して、正確且つ堅牢なチャネル推定を提供するという問題である。
【００３０】
従って、ＤＭ−ＲＳオーバーヘッドと性能との間に妥当なトレードオフが存在することを仮定する一般的な問題である。
【課題を解決するための手段】
【００３１】
従って、上述の複数の欠点の少なくともいくつかを解消し、且つ無線通信システムにおける性能を向上することを目的とする。
【００３２】
第１の態様によると、前記目的は、複数の時間周波数リソースを含むサブフレームの中の少なくとも１つのアンテナポートを介して情報エンティティを送信するための無線ネットワークノードにおける方法により達成される。前記情報エンティティは、無線通信システムの中における受信機により受信される。前記受信機による前記情報エンティティの復調は、また、前記複数の時間周波数リソースの複数の位置のセットを含むＤＭ−ＲＳパターンを含む復調参照信号（ＤＭ−ＲＳ）の送信によって可能とされる。ＤＭ−ＲＳパターンにおける複数の位置は、前記情報エンティティの送信のための少なくとも１つのアンテナポートと関連付けられる。前記方法は、少なくとも１つのサブフレームに対して、少なくとも２つの異なるＤＭ−ＲＳパターンのセットを定めることを含む。さらに、前記方法は、前記定義された複数のＤＭ−ＲＳパターンのセットから１つのＤＭ−ＲＳパターンを受信機に対して割り当てることを含む。さらに、前記方法は、前記割り当てられたＤＭ−ＲＳパターンと関連付けられた少なくとも１つのアンテナポートにおいて前記情報エンティティを送信することを含む。ＤＭ−ＲＳは、前記関連付けられた情報エンティティと同じ複数のＲＢにおいて送信されることを特徴とする。この文脈において複数のパターンについて言及する場合、例えば、図１及び図２における図解は２つの異なるＤＭ−ＲＳパターンの複数の例であり、それぞれの各パターンは、アンテナポート数と関連付けられる。
【００３３】
第２の態様によると、前記目的は、複数の時間周波数リソースを含むサブフレームの中において、少なくとも１つのアンテナポートを介しての情報エンティティを送信するための無線ネットワークノードにより達成される。前記情報エンティティは、無線通信システムにおける受信機により受信される。前記受信機による前記情報エンティティの復調は、また、前記複数の時間周波数リソースの複数の位置のセットを含むＤＭ−ＲＳパターンを含む復調参照信号（ＤＭ−ＲＳ）の送信により可能とされる。ＤＭ−ＲＳパターンの中の複数の位置は、前記情報エンティティの送信のための少なくとも１つのアンテナポートと関連付けられる。前記無線ネットワークノードは、処理回路を含む。前記処理回路は、少なくとも１つのサブフレームに対して、少なくとも２つの異なるＤＭ−ＲＳパターンのセットを定めるように構成される。さらに、前記処理回路は、前記定義された複数のＤＭ−ＲＳパターンのセットから、１つのＤＭ−ＲＳパターンを前記受信機に割り当てるように構成される。また、前記無線ネットワークノードは、前記割り当てられたＤＭ−ＲＳパターンと関連付けられた少なくとも１つのアンテナポートにおいて前記情報エンティティを送信するために構成される送信部を含む。
【００３４】
第３の態様によると、前記目的は、受信機における方法により達成される。前記受信機は、複数の時間周波数リソースを含むサブフレームにおける、少なくとも１つのアンテナポートを介しての情報エンティティの受信のために構成される。前記情報エンティティは、無線通信システムにおける無線ネットワークノードにより送信され、また、情報エンティティの復号は、前記複数の時間周波数リソースの複数の位置のセットを含むＤＭ−ＲＳパターンを含む復調参照信号（ＤＭ−ＲＳ）の受信により可能とされる。前記ＤＭ−ＲＳパターンにおける前記複数の位置は、前記情報エンティティの受信のための少なくとも１つのアンテナポートと関連付けられる。前記方法は、チャネル推定に利用されるＤＭ−ＲＳパターンに関連する情報を取得することを含む。さらに、前記方法は、チャネル推定に利用される前記ＤＭ−ＲＳパターンと関連付けられたアンテナポートにおいて、前記無線ネットワークノードから前記情報エンティティを受信することを含む。
【００３５】
第４の態様によると、前記目的は受信機により達成される。前記受信機は、複数の時間周波数リソースを含むサブフレームにおいて、少なくとも１つのアンテナポートを介して、情報エンティティを受信するために構成される。前記情報エンティティは、無線通信システムにおける無線ネットワークノードにより送信され、また、前記情報エンティティの復号は前記複数の時間周波数リソースの複数の位置のセットを含むＤＭ−ＲＳパターンを含む復調参照信号（ＤＭ−ＲＳ）を受信することにより可能とされる。前記ＤＭ−ＲＳパターンの中の前記複数の位置は、前記情報エンティティの受信のための少なくとも１つのアンテナポートと関連付けられる。前記受信機は、チャネル推定のために利用されるＤＭ−ＲＳパターンに関する情報を取得するために構成される処理回路を含む。また、前記受信機は、受信部を含む。前記受信部は前記取得されたＤＭ−ＲＳパターンと関連付けられるアンテナポートにおいて、前記無線ネットワークノードから前記情報エンティティを受信するために構成される。
【００３６】
本明細書における複数の実施例によるいくつかの利点は、参照信号のオーバーヘッドを低く維持しつつ、ネットワークの性能を向上することを含む。いくつかの実施例のさらなる利点は、複数のＤＭ−ＲＳパターンが受信機に固有であり得るため、ビームフォーミングが可能であるということである。
【００３７】
これは、異なる複数の条件下において利用される異なる複数のＤＭ−ＲＳパターンを定めることにより達成される。従って、いくつかの実施例において、適切なＤＭ−ＲＳパターンが選択されてもよく且つ特定の受信機に対して割り当てられてもよく、これによりオーバーヘッドを低く維持しつつ、正確且つ堅牢なチャネル推定を提供する。これにより、ＤＭ−ＲＳのオーバーヘッドと性能との間の妥当なトレードオフが達成される。従って、無線通信システム内において、向上した性能が提供される。
【００３８】
本発明の複数の実施例の他の複数の目的、複数利点及び複数の新規な特徴は、以下の詳細な説明から明らかになるであろう。
【図面の簡単な説明】
【００３９】
本発明の複数の実施例は、複数の実施例の複数の例を示す複数の添付図面を参照してより詳細に説明される。
【図１】従来技術に従う、リソースブロックの中の参照信号パターンを示すブロック図である。
【図２】従来技術に従う、リソースブロックの中の参照信号を示すブロック図である。
【図３】本発明の実施例を示すブロック図である。
【図４】実施例に従う、リソースブロックの中の参照信号パターンを示すブロック図である。
【図５】実施例に従う、リソースブロックの中の参照信号パターンを示すブロック図である。
【図６】実施例に従う、リソースブロックの中の参照信号パターンを示すブロック図である。
【図７】本発明の実施例に従う、無線ネットワークノードにおける方法を示すフローチャートである。
【図８】本発明の実施例に従う、無線ネットワークノードを示すブロック図である。
【図９】本発明の実施例に従う、受信機における方法を示すフローチャートである。
【図１０】本発明の実施例に従う、受信機を示すブロック図である。
【発明を実施するための形態】
【００４０】
本明細書において説明される本発明の複数の実施例は、無線ネットワークノード、無線ネットワークノードにおける方法、受信機及び受信機における方法として定義され、以下に説明される複数の実施例において実施され得る。しかしながら、これらの実施例は、多くの異なる形態において例示され且つ実現することができ、且つ本明細書に記載の複数の実施例に限定されると見なされるべきではない；むしろ、これらの実施例は、本開示が充分且つ完全となるように提供されている。
【００４１】
さらに、他の複数の目的及び特徴は、添付の複数の図面と併せて考慮される以下の詳細な説明から明らかになるであろう。しかしながら、複数の図面は、単に例示を目的として設計されるものであり、且つ本明細書に開示される複数の実施例の定義ではなく、これについては添付の複数の特許請求項を参照すべきである。さらに、図面は必ずしも一定の縮尺で描かれておらず、そしてとくに断らない限り、それらは、本明細書に記載される複数の構造及び複数の手順を概念的に説明することだけを意図する。
【００４２】
図３は、無線通信システム１００に関する概略図である。無線通信システム１００は、ほんのいくつかの選択肢について述べると、３ＧＰＰ  ＬＴＥ、ＬＴＥ−Ａｄｖａｎｃｅｄ、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、汎欧州デジタル移動電話方式（元々は、Ｇｒｏｕｐ  Ｓｐｅｃｉａｌ  Ｍｏｂｉｌｅ）（ＧＳＭ）／Ｅｎｈａｎｃｅｄ  Ｄａｔａ  ｒａｔｅ  ｆｏｒ  ＧＳＭ  Ｅｖｏｌｕｔｉｏｎ（ＧＳＭ／ＥＤＧＥ）、広帯域符号分割多重アクセス（ＷＣＤＭＡ（登録商標））、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＭｉＭａｘ）、又はＵｌｔｒａ  Ｍｏｂｉｌｅ  Ｂｒｏａｄｂａｎｄ（ＵＭＢ）、Ｈｉｇｈ  Ｓｐｅｅｄ  Ｐａｃｋｅｔ  Ａｃｃｅｓｓ  （ＨＳＰＡ）Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）、Ｕｎｉｖｅｒｓａｌ  Ｔｅｒｒｅｓｔｒｉａｌ  Ｒａｄｉｏ  Ａｃｃｅｓｓ（ＵＴＲＡ）、ＧＳＭ  ＥＤＧＥ  Ｒａｄｉｏ  Ａｃｃｅｓｓ  Ｎｅｔｗｏｒｋ（ＧＥＲＡＮ）、例えば、ＣＤＭＡ  １ｘ  ＲＴＴ及びＨｉｇｈ  Ｒａｔｅ  Ｐａｃｋｅｔ  Ｄａｔａ（ＨＲＰＤ）などの３ＧＰＰ２  ＣＤＭＡ技術等の無線アクセス技術に少なくとも部分的に基づいていてもよい。
【００４３】
異なる複数の実施例によると、無線通信システム１００は、ＴＤＤ及び／又はＦＤＤの原理に従って動作するように構成されてもよい。
【００４４】
ＴＤＤは、時間的に上りリンクの信号と下りリンクの信号を分離するための時分割多重の応用であり、場合によっては、時間領域において、上りリンクのシグナリングと下りリンクのシグナリングの間に位置するガード期間を伴う。ＦＤＤは、前述のように、送信機と受信機とが異なる複数のキャリア周波数で動作することを意味する。
【００４５】
図３の例示の目的は、本明細書において記載される無線ネットワークノード及び受信機、及び関連する複数の機能等の、複数の方法及び複数のノードの簡略化された一般的な概要を提供することである。複数の方法、無線ネットワークノード及び受信機は、次に、非限定的な例として、３ＧＰＰ／ＬＴＥ環境において説明されるが、開示される複数の方法、無線ネットワークノード及び受信機の複数の実施例は、例えば、上に列挙されたいずれかのような他のアクセス技術に基づき無線通信システム１００において動作してもよい。従って、本発明の複数の実施例は、３ＧＰＰＬＴＥシステムに基づき、且つその専門用語を使用して説明されるが、３ＧＰＰ  ＬＴＥに限定されるものではない。
【００４６】
図示される無線通信システム１００は、受信機１１０及びセル１３０にサービスを提供する無線ネットワークノード１２０を含む。
【００４７】
無線ネットワークノード１２０は、例えば、セル１３０内の受信機１１０に対して複数の無線リソースを割り当て且つ無線ネットワークノード１２０とＵＥ１１０との間の無線通信の信頼性を確かなものにする等、セル１３０における無線リソースマネージメントを制御する。無線ネットワークノード１２０は、典型的には、例えば、ＬＴＥに関連する無線通信システム１００における、ｅＮｏｄｅＢを含んでもよい。
【００４８】
受信機１１０は、無線ネットワークノード１２０により受信される情報を含む複数の無線信号を送信するように構成されてもよい。これに対応して、受信機１１０は、無線ネットワークノード１２０により送信される情報を含む複数の無線信号を受信するように構成されてもよい。
【００４９】
図３における図示された１つの受信機１１０及び１つの無線ネットワークノード１２０のネットワーク設定は、一実施例の単なる限定しない例であるとみなされるべきである、ということに注意すべきである。明確さを理由として、図３において、受信機１１０及び無線ネットワークノード１２０それぞれの一例だけが図示されているが、無線通信システム１００は、無線ネットワークノード１２０及び／又は受信機１１０の他の如何なる数及び／又は如何なる組合せを含んでもよい。複数の受信機１１０及び複数の無線ネットワークノード１２０が、さらに、開示される発明のいくつかの実施例に含まれる。
【００５０】
従って、「ｏｎｅ」又は「ａ／ａｎ」受信機１１０及び／又は無線ネットワークノード１２０が本文脈において言及される際にはいつでも、いくつかの実施例によれば、複数の受信機１１０及び／又は複数の無線ネットワークノードを含む。
【００５１】
異なる複数の実施例及び異なる用語によると、受信機１１０は、例えば、ＵＥ、無線通信端末、携帯セルラ電話、パーソナルデジタルアシスタント（ＰＤＡ）、無線プラットフォーム、移動局、ポータブル通信装置、ラップトップ、コンピュータ、中継局として機能する無線端末、中継ノード、移動中継、顧客宅内装置（ＣＰＥ）、固定無線アクセス（ＦＷＡ）ノード、又は無線ネットワークノード１２０と無線で通信するように構成される如何なる種類の装置、により表されてもよい。
【００５２】
いくつかの実施例によると、使用される無線アクセス技術及び用語に応じて、無線ネットワークノード１２０は、例えば、基地局、ノードＢ、進化型ノードＢ（ｅＮＢ、又はｅＮｏｄｅＢ）、ベーストランシーバステーション、アクセスポイント基地局、基地局ルータ、無線基地局（ＲＢＳ）、マクロ基地局、マイクロ基地局、ピコ基地局、フェムト基地局、ホームｅＮｏｄｅＢ、センサ、ビーコン装置、中継ノードリピータ、又は無線インターフェースを介して受信機１１０と通信するように構成される他の如何なるネットワークノード、と呼ばれてもよい。
【００５３】
本明細書における本発明の複数の実施例は、復調参照信号（Ｄｅｍｏｄｕｌａｔｉｏｎ  Ｒｅｆｅｒｅｎｃｅ  Ｓｉｇｎａｌ、ＤＭ−ＲＳ）等の、コヒーレント復調のための受信機に固有の参照信号を開示する。ＤＭ−ＲＳは、いくつかの実施例において、特に、汎用のセル固有のＣＲＳが利用できず且つＤＭ−ＲＳの代わりに使用できないシナリオにおいて、複数の参照信号を、データチャネルの復号（例えば、ＰＤＳＣＨの復号）及び／又は制御チャネルの復号（例えば、ｅＰＤＣＣＨの復号）に対して提供するといった、多数のシナリオに対応するように構成される。
【００５４】
本発明の複数の実施例は、例えば、報知情報又はシステム情報を含む複数のチャネルを含む、復調のためにＤＭ−ＲＳを利用する任意のチャネルに対してさらに適用可能である。
【００５５】
いくつかの実施例において、受信機１１０において、複数のチャネル推定値は、先ず、ＤＭ−ＲＳを含む複数のＲＥの各アンテナポートに対して取得されてもよい。次に、スケジュールされた複数のＲＢの他の複数のＲＥ全てに対するチャネル推定値を導出するために、時間及び周波数領域の補間又は外挿が実行されてもよい。
【００５６】
典型的には、ＲＥとＤＭ−ＲＳを伝送するＲＥとの間の距離が（時間及び周波数に関して）遠い程、チャネル推定値は悪くなる。前に示された図１を検討する場合には、最初の５つのＯＦＤＭシンボルの中のＤＭ−ＲＳシンボルが含まれない、ということに注意してもよい。従って、時間変動するチャネルにおいて、これらの複数のＯＦＤＭシンボルにおける複数のＲＥに対する複数のチャネル推定値は、不正確になる可能性があり、且つデータチャネル又は制御チャネルの性能が劣化し得る。これは、サブフレームの中の最初の複数のＯＦＤＭシンボルのいくつかを占有する制御領域が存在せず、且つこれらのシンボルが、例えば、データチャネル又はＤＭ−ＲＳベースの制御チャネルを送信するために使用される場合に起こり得る。他方、図２において示されるＤＭ−ＲＳパターンは、時間に関する複数のＤＭ−ＲＳシンボルのより均一な分布を有し、より良い補間精度を示唆しており、これにより図１及び２に示されるように、最初の複数のＯＦＤＭシンボルのいくつかを占有する制御領域が存在しない場合におけるより良いチャネル推定の性能が与えられる。
【００５７】
ＣＲＳの堅牢性は、それが各サブフレームにおいて及び各ＲＢにおいて送信されることを条件とする。これは、より良いチャネル推定値をもたらす、時間及び周波数次元における複数のチャネル推定値の連続補間を可能とする。例えば、従来技術は、ウィーナフィルタリング（Ｗｉｅｎｅｒ  ｆｉｌｔｅｒｉｎｇ）に基づく、精巧な複数の推定アルゴリズムを含む。ＤＭ−ＲＳの場合、補間の機会は、比較において、より制限されることがあり、例えば、ＵＥの速度が速い又は低い信号対干渉雑音比（Ｓｉｇｎａｌ  ｔｏ  Ｉｎｔｅｒｆｅｒｅｎｃｅ  ｐｌｕｓ  Ｎｏｉｓｅ  Ｒａｔｉｏ、ＳＩＮＲ）の結果として、チャネルにおける変動に対してチャネル推定値はより脆弱になる。典型的には、ＤＭ−ＲＳが使用される場合、ＲＢ内の複数のＲＥに対してのみ補間／外挿が実行されてもよい。全ての場合において複数の良いチャネル推定値を提供するために、さらに説明されるように、少なくともいくつかのシナリオにおいては、チャネル推定の信頼性を向上するために、従来のＬＴＥシステムと比較して、ＤＭ−ＲＳパターンの密度を増加することが必要であるかもしれない。
【００５８】
従って、高密度なＤＭ−ＲＳパターンは、良いチャネル推定性能を提供する。他方、高密度なＤＭ−ＲＳパターンは、必ずしも必要ではなく、且つスループット性能に対して有害な大きなオーバーヘッドを生成し得る。高次のマルチインプットマルチアウトプット（ＭＩＭＯ）及び／又は変調及び符号化でスケジュールされる受信機１１０は、非常に大きなＳＩＮＲを有し且つ低いモビリティを経験する可能性がある（拡散、わずかな、無視できるドップラー拡散を与える、又はドップラー拡散を与えない）。従って、それは余分且つ単に冗長なオーバーヘッドを加えるだけであり得るため、高密度のＤＭ−ＲＳパターンは、この場合において必要ない可能性がある。従って、ＤＭ−ＲＳの密度を低減する機会を持ち、そして代わりにデータ伝送のためにそれらのＲＥを使用することは役に立つかもしれない。すなわち、ＳＩＮＲ、ドップラー拡散、参照信号受信電力（Ｒｅｆｅｒｅｎｃｅ  Ｓｉｇｎａｌ  Ｒｅｃｅｉｖｅｄ  Ｐｏｗｅｒ、ＲＳＲＰ）、参照信号受信品質（Ｒｅｆｅｒｅｎｃｅ  Ｓｉｇｎａｌ  Ｒｅｃｅｉｖｅｄ  Ｑｕａｌｉｔｙ、ＲＳＲＱ）、受信信号強度（Ｒｅｃｅｉｖｅｄ  Ｓｉｇｎａｌ  Ｓｔｒｅｎｇｔｈ  Ｉｎｄｉｃａｔｏｒ、ＲＳＳＩ）又は受信機１１０と無線ネットワークノード１２０との間の無線インターフェースにおける信号伝搬条件に関連するその他の任意の適切な測定値等の、受信機１１０の信号伝搬条件に基づいて、ＤＭ−ＲＳパターンの密度を調整することは役に立つかもしれない。
【００５９】
いくつかの実施例による他の目的は、マルチサブフレームスケジューリングを提供することである。従来技術のＬＴＥシステムにおいて、ダイナミックスケジューリングの場合、データチャネル、又はそのようにも呼ばれるように、ＰＤＳＣＨは１つのサブフレーム内で送信され、且つ関連付けられた下りリンクの制御チャネル（ＰＤＣＣＨ又はｅＰＤＣＣＨ）は同じサブフレーム内に置かれる。しかしながら、本発明の複数の実施例によると、下りリンクの制御チャネルオーバーヘッドは、１つのＰＤＣＣＨ又はｅＰＤＣＣＨに、１つ以上のサブフレームにおけるＰＤＳＣＨをスケジュールさせることにより、低減される。この利点は、より多くの時間周波数リソースをデータ伝送に対して使用することができるということである。本発明のいくつかの実施例は、クロスサブフレームスケジューリングの一つの選択肢は、与えられたＲＢについてのスケジュールされた複数のサブフレームの少なくとも２つ、又は場合によっては全てにおいて、同じプリコーダを使用することである、ということを開示する。そのような複数の実施例は、時間領域ＲＢバンドリングを提供し、ここで複数のチャネル推定値は、複数のサブフレームの間で補間されてもよく、そしてこれによりチャネル推定を改善することができる。サブフレーム内の複数のＤＭ−ＲＳシンボルグループの間の距離は、連続する複数のサブフレームの複数のＤＭ−ＲＳグループの間の時間に関する距離と同じであるため、すなわち、複数のＤＭ−ＲＳシンボルを含む４つのＲＥのグループの間に置かれる複数のＤＭ−ＲＳシンボルを含まない５つのＯＦＤＭシンボルが存在するため、図２において図示されるＤＭ−ＲＳパターンは、そのような時間領域バンドリングに対して適切であり得る。
【００６０】
上記の観察は、例えば、前述のようにキャリアアグリゲーションを適用する場合であり得るような、特に、セル固有の参照信号等の他の参照信号が存在しない場合において、１つのＤＭ−ＲＳパターンは、予見される各種送信を効率的にはサポートできないかもしれないことを意味する。本発明のいくつかの実施例によると、少なくとも１つのサブフレームの中の少なくとも２つのＤＭ−ＲＳパターンのセットが定義され、それから受信機１１０は、１つのＤＭ−ＲＳパターンを割り当てる。ＤＭ−ＲＳは、データ又は制御チャネルであって、それに対してＤＭ−ＲＳが復調の基準としての役割を果たすべきである、データ又は制御チャネル、と関連付けられた複数のＲＢにおいてのみ送信されるので、新しい複数のＤＭ−ＲＳパターンの導入を既存のシステム１００においても効率的に行うことができる、ということがさらに実現される。従って、如何なる新しいＤＭ−ＲＳパターンも認識していない複数の既存の受信機１１０は、既に定義されている複数のＤＭ−ＲＳパターンを代わりに使用することが可能であるため、依然としてキャリア上で動作することが可能である。
【００６１】
従って、いくつかの実施例において、ＤＭ−ＲＳパターン形式の割り当ては、受信機に固有である。
【００６２】
このことは、サブフレームにおいて、異なる複数の受信機１１０は、いくつかの実施例におけるサービングセルにおける異なる複数のＤＭ−ＲＳパターンを使用してもよいことを意味する。ＤＭ−ＲＳパターンはセル１３０内の各受信機１１０の無線シグナリング条件に適応可能であるため、このことは大きな柔軟性を与え、かつ割り当てを定義するためのシグナリングを必要とするかもしれない。利点は、異なるいくつかのＤＭ−ＲＳパターンをサポートするという点で異なる複数の能力を持つ複数の受信機１１０を許容するということである。例えば、受信機１１０が最上位のＭＩＭＯ方式、変調方式及び符号化方式に対応しない場合、そのような複数の場合に合わせたＤＭ−ＲＳパターンに対するチャネル推定を行うことが可能であることは必要ではなくてもよい。
【００６３】
いくつかの実施例においては、キャリアアグリゲーションが適用される。従って、第１のサービングセルは、ＣＲＳ伝送を含むように構成されてもよく且つ第２のサービングセルは、ＣＲＳ伝送を含まないキャリア種別を含むように構成されてもよい。この場合、異なる複数のキャリアに対する複数のＤＭ−ＲＳパターンの複数のセットの結合は、少なくとも２つの異なる複数のＤＭ−ＲＳパターンを含んでもよい。いくつかの実施例によると、他の選択肢は、セル固有の複数のセットが存在するが、当該複数のセットからの割り当ては、受信機固有のものである、ということであってもよい。
【００６４】
複数の無線ネットワークノード１２０、又は複数のｅＮｏｄｅＢは、さらに、特定の複数の条件下で、同じＤＭ−ＲＳパターンを異なる複数の受信機１１０に割り当てるように構成され、又はそうすることが好まれる。例えば、マルチユーザＭＩＭＯ（ＭＵ−ＭＩＭＯ）が実行される場合、複数の受信機１１０は、同じ複数のＲＢのセットにおいて、それらの複数のデータチャネルを送信する。この場合、直交する複数の参照信号を確保するために、割り当てられた複数のＤＭ−ＲＳパターンが等しいことが有利であり得る。
【００６５】
従って、いくつかの実施例において、少なくとも複数の受信機１１０のサブグループに対して、ＤＭ−ＲＳパターンセットの割り当ては、セル固有であってもよい。
【００６６】
いくつかの実施例によると、各サービングセルは、セル１３０における全ての受信機１１０に同じＤＭ−ＲＳパターンが割り当てられ得るように、それ自身の複数のＤＭ−ＲＳパターンのセットにより構成されてもよい。この１つの例は、所定のサービングセルにおいて複数の受信機１１０に１つのＤＭ−ＲＳパターンが割り当てられ、一方で、他のセルにおいて複数の受信機１１０には他のＤＭ−ＲＳパターンが割り当てられる、という場合である。これは、割り当てを定義するためのより少ないシグナリングを必要とするかもしれない。第１のセルは、ＣＲＳ伝送を含む従来のキャリアに対応してもよく且つ第２のセルは、ＣＲＳ伝送を含まないキャリア種別に対応してもよい。いくつかの実施例によると、キャリアアグリゲーションが可能である受信機１１０は、そのような２種類のキャリアを集約してもよく、そして従って、異なる複数のキャリアにおいて異なる複数のＤＭ−ＲＳパターンを割り当ててもよい。
【００６７】
ここにおける考察は、ＤＭ−ＲＳ（又はＤＭ−ＲＳパターン）に関するものであるが、いくつかの実施例によれば、その代わりに、又はそれに加えて、アンテナポートの用語を使用することが可能であってもよい、ということに注意してもよい。例えば、下においてその後で例示され且つ図４−６に示されるように、新しいＤＭ−ＲＳパターンは、新しい複数のアンテナポートのセットとしてラベル付けされてもよい。
【００６８】
図４は、１４のＯＦＤＭシンボル（ｘ軸）及び１２のサブキャリア（ｙ軸）から得られる１６８のＲＥを含む時間周波数空間上のＤＭ−ＲＳパターンの例を示す。ＤＭ−ＲＳパターンの密度は、アンテナポート９、１０、１２、及び１４からの複数のＲＥを再利用することにより、アンテナポート７、８、１１、及び１３に対して増加している。
【００６９】
図５は、１４のＯＦＤＭシンボル（ｘ軸）及び１２のサブキャリア（ｙ軸）から得られる１６８のＲＥを含む時間周波数空間上のＤＭ−ＲＳパターンの例を示す。ＤＭ−ＲＳパターンの密度は、全てのアンテナポートに対して減少している。
【００７０】
図６は、１４のＯＦＤＭシンボル（ｘ軸）及び１２のサブキャリア（ｙ軸）から得られる１６８のＲＥを含む時間周波数空間上のＤＭ−ＲＳパターンの例を示す。ＤＭ−ＲＳパターンの密度は、全てのアンテナポートに対して減少している。
【００７１】
本発明の複数の実施例によると、異なる複数の受信機１１０は、異なる複数のＤＭ−ＲＳパターンと関連付けられている異なる複数のＤＭ−ＲＳアンテナポートを使用することができる。従来技術のＬＴＥシステムにおいて、ＰＤＳＣＨにおけるランクｖ（ｖ＝１、２、．．．、８）の伝送は、アンテナポート７から６＋ｖに関連付けられ、ここでランクは送信の空間レイヤの数又はデータストリーム数を表す。同じランクの複数の伝送を経験する２つの異なる受信機は、同じＤＭ−ＲＳパターンを利用する。従来のＬＴＥとは対照的に、本発明の複数の実施例は、複数の受信機１１０が同じ送信モードに設定されている場合であっても、特定の数（Ｎ）のＤＭ−ＲＳアンテナポートを利用していてもよい第１の受信機１１０は、ＮのＤＭ−ＲＳアンテナポートをさらに利用していてもよい他の第２の受信機１１０と比較して、異なるＤＭ−ＲＳパターンを利用してもよい、ということを開示する。当該数Ｎは、例えば、複数の伝送のランクを表してもよい。特に、これはＰＤＳＣＨの復調に使用される１つ又はいくつかのアンテナポート７−１４、又はｅＰＤＣＣＨの復調に使用される１つ又はいくつかのアンテナポート１０７−１１０に対して適用される。
【００７２】
無線通信システム１００におけるいくつかの実施例において、異なる複数の受信機１１０が異なる複数のＤＭ−ＲＳパターンを持つかもしれない一方で、第１の受信機１１０は、所定のサブフレーム及び第１のサービングセルの中の１つのＤＭ−ＲＳパターンをサポートしてもよいが、異なる複数のサービングセルにおける異なる複数のＤＭ−ＲＳを使用してもよい。これは、例えば、前記異なる複数の受信機１１０が異なる複数のシステムリリースに対応する場合等、限定しない例において適用可能であってもよい。無線通信システム１００の進化は、多くの場合、システムリリースの概念により特徴付けられる。最新のシステムリリースの第１の受信機１１０は、そのリリース及び以前の複数のリリースの全ての必須の機能に対応できることが想定されている。他方、この限定しない例において、最新でないリリースの第２の受信機１１０は、後のシステムリリースの複数の機能に対応することができないかもしれない。従って、サービングセルにおいて、以前のリリースの任意の受信機１１０は、複数のＤＭ−ＲＳパターン（例えば、ＬＴＥにおけるアンテナポート７−１４と関連づけられたＤＭ−ＲＳパターン）のうちの１つのセットに対応するかもしれない一方で、後のリリースの受信機１１０は、複数のＤＭ−ＲＳパターンの他のセット（例えば、以前のシステムリリースの複数のＤＭ−ＲＳパターンを含む拡張セット、又は互いに素であるセットでもあり得る）をサポートするかもしれない。
【００７３】
本発明の一実施例において、受信機１１０は、サービングセルの所定のサブフレームにおける少なくとも２つのＤＭ−ＲＳパターンに対応してもよく且つ事前に定められた規則に従って、及び／又はシグナリング手段により割り当てられてもよい。事前に定められた規則とは、例えば、サブフレーム種別（通常又は特殊）、又は、例えば、変調、符号化率、ＭＩＭＯモード、時間又は周波数ＲＢバンドリングが適用されるかどうか、スケジュールされたＲＢの位置等の、伝送と関連付けられた任意のパラメータと関連してもよい。さらに、事前に定められた規則は、無線ネットワーク一時識別子（Ｒａｄｉｏ  Ｎｅｔｗｏｒｋ  Ｔｅｍｐｏｒａｒｙ  Ｉｄｅｎｔｉｆｉｅｒ、ＲＮＴＩ）と関連してもよい。従来技術のＬＴＥシステムにおいて、下りリンク制御チャネルのＣＲＣは、ＲＮＴＩに基づきスクランブルされてもよい。受信機は、セル固有のＲＮＴＩ（Ｃ−ＲＮＴＩ）、システム情報ＲＮＴＩ（ＳＩ−ＲＮＴＩ）、ランダムアクセスＲＮＴＩ（ＲＡ−ＲＮＴＩ）、ページングＲＮＴＩ（Ｐ−ＲＮＴＩ）、セミパーシステントスケジューリングＲＮＴＩ（ＳＰＳ−ＲＮＴＩ）及び一時的Ｃ−ＲＮＴＩ等の、それぞれ、制御チャネルと関連付けられる情報の種別と関連する、異なる複数のＲＮＴＩを有してもよい。
【００７４】
少なくとも２つのＤＭ−ＲＳパターンのセットは、例えば、以前の複数のシステムリリースからの既存の全てのＤＭ−ＲＳパターン及び、例えば、上において例示され且つ図４−６に示されるような、後のシステムリリースの新しい複数のＤＭ−ＲＳパターンを含んでもよい。複数のＤＭ−ＲＳパターンのセットに関する情報がデータチャネルを介して受信機１１０にシグナリングされる場合、受信機１１０は、まず、下りリンクの制御チャネルを受信してもよい。下りリンクの制御チャネルがＣＲＳ復調に基づいているかどうかは問題ではない。この場合、ＣＲＳベースの制御チャネルによりスケジュールされ且つデータチャネルを介して送信される受信機に固有のＲＲＣシグナリングがＤＭ−ＲＳパターンを構成するために適用されてもよい。
【００７５】
下りリンクの制御チャネル（例えば、ｅＰＤＣＣＨ）がＤＭ−ＲＳベースの復調を仮定する場合、ＤＭ−ＲＳパターンの事前知識なしに制御チャネルを正しく受信することは困難であるかもしれない。ＬＴＥにおいて、受信機１１０は、共通サーチ空間又は受信機固有のサーチ空間におけるブラインド復号によりｅＰＤＣＣＨを受信しており、サーチ空間は複数の制御チャネルが送信され得る複数のＲＥのセットを定める。サーチ空間は、サブフレーム内の時間周波数空間の一部であり、ここで当該受信機１１０は、無線ネットワークノード１２０からの下りリンクの複数の制御信号を連続的に監視し且つ確認する。セル内の全ての受信機１１０が共通サーチ空間において検索することができるので、複数のアンテナポート間の直交性を達成するために、当該共通サーチ空間において全ての受信機１１０について同じＤＭ−ＲＳパターンを利用することは有利であるかもしれない。従って、この課題を解決する一つの実施例は、共通サーチ空間に対して、複数のＤＭ−ＲＳパターンのセットを事前に定めるようにすることであってもよい。つまり、受信機１１０は、その時間周波数パターン又は変調系列についての事前の知識なしに、共通サーチスペース内のＤＭ−ＲＳを利用することが可能であってもよい。追加の複数のＤＭ−ＲＳパターンについての情報は、次に、共通サーチ空間からの制御チャネルによりスケジュールされるＰＤＳＣＨの中で（すなわち、いくつかの実施例に従うＲＲＣシグナリングの手段により）シグナリングされてもよい。関連付けられたデータチャネルは、共通サーチ空間の中の制御チャネルについて使用されたように、同じＤＭ−ＲＳパターンを使用してもよい。共通サーチ空間において使用されるＤＭ−ＲＳパターンは、受信機１１０に対するセットにおいて定義された他の複数のＤＭ−ＲＳパターンの拡張セットから取得されてもよい。例えば、最大の信頼性のために、より高密度のＤＭ−ＲＳパターンが共通サーチ空間において適用されてもよい。受信機固有のサーチ空間に対するＤＭ−ＲＳパターンは、それ以外に設定されるまで、デフォルトにより、共通サーチ空間に対するものと同じであってもよい。
【００７６】
本発明の一実施例は、異なる複数のチャネルに対する複数のＤＭ−ＲＳパターンの異なる複数のセットを有することを含んでもよい。例えば、ｅＰＤＣＣＨ等の下りリンクの複数の制御チャネル、及びＰＤＳＣＨ等の下りリンクの複数のデータチャネルは、異なる複数のＤＭ−ＲＳパターンを利用してもよい。例えば、ｅＰＤＣＣＨに対する複数のＤＭ−ＲＳパターンは、事前に定められてもよく、且つ少なくとも２つのＤＭ−ＲＳパターンのセットだけがＰＤＳＣＨに対して適用されてもよい。これは、下りリンクの制御チャネルの復号におけるＤＭ−ＲＳパターンに関するいずれかの曖昧さを回避し、且つ同じＲＢにおいて下りリンクの制御チャネルを検索する複数の受信機１１０に同じＤＭ−ＲＳパターンを割り当てる必要性を緩和するために有利である。ｅＰＤＣＣＨ及びＰＤＳＣＨに対する異なる複数のセットを有することの更なる利点は、ＤＭ−ＲＳパターンの動的割り当て（すなわち、複数のサブフレームの時間スケールを変更してもよい）が提供され得る、ということである。所定のＤＭ−ＲＳパターンがｅＰＤＣＣＨについて使用されることを考えると、ＰＤＳＣＨについて、少なくとも２つのＤＭ−ＲＳパターンのセットが構成されてもよい。いくつかの実施例によると、ｅＰＤＣＣＨは、構成された複数のＤＭ−ＲＳパターンのうちのどれがスケジュールされたＰＤＳＣＨについて使用されてもよいかを示す情報（例えば、明示的なビット）を送信してもよい。
【００７７】
本発明の別の実施例によると、複数のＤＭ−ＲＳパターンは、制御チャネルの受信から推定されてもよい。従って、制御チャネルは、コードワードとともにスクランブル（すなわち、要素ごとに乗算）されてもよい複数の巡回冗長検査（ＣＲＣ）ビットのセットを含んでもよい。いくつかの一意のコードワードが存在してもよく、各一意のコードワードは複数のＤＭ−ＲＳパターンのセットの中のＤＭ−ＲＳパターンに対応する。無線ネットワークノード１２０は、使用されるＤＭ−ＲＳパターンに対応する、又はそれを表す一意のコードワードを選択してもよく、且つ複数のＣＲＣビットとともにそれをスクランブルしてもよく、これによりどのＤＭ−ＲＳパターンが利用されるかを符号化する。いくつかの実施例によると、受信機１１０は、次に、複数のＣＲＣビットをデスクランブルすることにより、どのＤＭ−ＲＳパターンが使用されるかに関するこの情報を取得してもよく、且つこのスクランブリングに対して無線ネットワークノード１２０によりどの一意のコードワードが使用されたかを決定してもよい。これにより、複数のＤＭ−ＲＳパターンのセットの中のどのＤＭ−ＲＳパターンを使用するかに関する情報が、無線ネットワークノード１２０から受信機１１０に対して送信されてもよい。
【００７８】
セル１３０にアクセスするために、受信機１１０は典型的には、まず、それがセル１３０を検出し且つ対応するサービング無線ネットワークノード１２０に対して同期を行う、セルサーチを実行する。受信機１１０は、その後、報知チャネルであって、サービング無線ネットワークノード１２０からの複数の無線信号の受信を続けるために必要な複数のパラメータを含む、報知チャネル、の受信を継続する。従来のＬＴＥシステムにおいて、物理報知チャネル（Ｐｈｙｓｉｃａｌ  Ｂｒｏａｄｃａｓｔ  Ｃｈａｎｎｅｌ、ＰＢＣＨ）の復調のためにＣＲＳが使用される。キャリアにＣＲＳが存在しない場合、本発明のいくつかの実施例において、ＤＭ−ＲＳベースの報知チャネルが考慮される。いくつかの実施例によると、ＤＭ−ＲＳパターンは、そのような報知チャネルを復調する前に知られていてもよい。この課題を解決する一実施例は、従って、物理報知チャネルについて、割り当てられたＤＭ−ＲＳパターンを事前に定められたものとする、ということである。さらに、実施例は、セルサーチの間の報知チャネルの受信のために割り当てられたＤＭ−ＲＳパターンを考慮して、受信機１１０が情報を取得するというものである。例えば、ＣＲＳのないキャリアにおいて、ＣＲＳを伴う従来のキャリアにおける既存の複数の同期信号と比較して、複数の同期信号が変化する場合（例えば、時間／周波数に関する複数の新しい位置、複数の新しい変調系列等）、受信機１１０は、キャリアがＣＲＳを含まないことを検出することが可能であってもよく、従って、例えば、事前に定められた規則により、どのＤＭ−ＲＳパターンを物理報知チャネルの受信について使用すべきか知っていてもよい。
【００７９】
さらに、システム１００に対する初期のアクセスの間、報知チャネルを受信した後、ＵＥ１１０は、例えば、無線ネットワークノード１２０からの通信の設定を可能とするために必要とされ得る、システム情報無線ネットワーク一時識別子（Ｓｙｓｔｅｍ  Ｉｎｆｏｒｍａｔｉｏｎ  Ｒａｄｉｏ  Ｎｅｔｗｏｒｋ  Ｔｅｍｐｏｒａｒｙ  Ｉｄｅｎｔｉｆｉｅｒ、ＳＩ−ＲＮＴＩ）によりスクランブルされる、システム情報をＰＤＳＣＨにおいて受信する。いくつかの実施例において、ＤＭ−ＲＳパターンは、システム情報を復調した場合に知られてもよい。従って、この課題を解決する一実施例は、システム情報に関連するＰＤＳＣＨの送信について、割り当てられたＤＭ−ＲＳパターンを事前に定められたものとする、ということである。
【００８０】
さらに、システム１００に対する初期のアクセスの間、受信機１００は、無線ネットワークノード１２０からの通信を設定可能とするために必要とされ得る、ＰＤＳＣＨにおける複数のＲＡＣＨ応答（例えば、ＲＡ−ＲＮＴＩによりスクランブルされる）を受信してもよい。ＲＡＣＨレスポンスを復調する場合、ＤＭ−ＲＳパターンが知られている必要がある。従って、この課題を解決する一実施例は、割り当てられたＤＭ−ＲＳパターンを、複数のＲＡＣＨ応答に関する複数のＰＤＳＣＨ送信に対して、事前に定められたものとする、ということである。
【００８１】
本発明の他の実施例によると、複数のＤＭ−ＲＳパターンは、報知チャネルの受信から推定されてもよい。従来技術のＬＴＥシステムにおいて、ＰＢＣＨは、コードワードと共にスクランブル（すなわち、要素毎に乗算）されてもよい、複数の巡回冗長チェック（ＣＲＣ）ビットのセットを含む。一意のコードワードが３つ存在し、それぞれキャリアのＣＲＳポートの数を符号化する。従って、正しいコードワードによりデスクランブルし、そしてそれによりＣＲＳポートの数を検出した場合、受信機１１０は、正しいＣＲＣを得ることができる。いくつかの実施例によると、そのような情報が必要でない場合、例えば、ＣＲＳが送信されないシナリオにおいて、スクランブリングは、使用される複数のＤＭ−ＲＳパターンについての情報を符号化する複数のコードワードと共に行われてもよい。これにより、複数のＤＭ−ＲＳパターンのセットの中のどのＤＭ−ＲＳパターンを使用するかに関する情報が、無線ネットワークノード１２０から受信機１１０に送信されてもよい。
【００８２】
以下において、上記の異なる複数の場合に適応するのに好適であり得る複数のＭＤ−ＲＳパターンのいくつかの追加の限定しない例が与えられる。
【００８３】
いくつかの実施例によると、ＤＭ−ＲＳ密度の増加は、既存のＤＭ−ＲＳパターンに複数のＤＭ−ＲＳシンボルの複数のＲＥを追加すること及び／又は既存のＤＭ−ＲＳパターンに対してアンテナポートマッピングを再定義すること、により達成されてもよい。既存のＤＭ−ＲＳパターンは、以前又は現在のシステムリリースに含まれるＤＭ−ＲＳパターンを含んでもよい。
【００８４】
さらに、実施例は、以下のように実現されてもよい；例えば、悪い無線チャネル条件のため、受信機１１０がより高密度のＤＭ−ＲＳパターンを必要とする場合、多数のアンテナポートおいてはスケジュールを行わないということがあり得る。というのは、そのような送信（すなわち、高次のＭＩＭＯ）は典型的に、良好なチャネル条件を必要とするからである。いくつかの（複数の）アンテナポートに対して、より高密度のＤＭ−ＲＳは、他のいくつかの（複数の）アンテナポートに対するより少ないＤＭ−ＲＳにより達成されてもよく、或いは、場合よっては、いくつかのアンテナポートを切り捨てることにより達成されてもよい。例えば、図１の２４のＲＥを伴うＤＭ−ＲＳパターンは、最大８アンテナポートまで収容する。アンテナマッピングを再定義することにより、これらの２４のＲＥは、ただ１つのアンテナポートに割り当てられてもよく、或いは８未満のアンテナポート等に割り当てられてもよい。これにより、ＤＭ−ＲＳパターンが再利用されてもよいが、複数のアンテナポートのより小さいセットをサポートする。そのような一つの例が図４に与えられ、２４のＲＥは従来のＬＴＥシステムの８つのアンテナポートに代えて、４つのアンテナポートを収容する。複数のアンテナポートのラべリングは、単に例示的なものであり、そして異なってもよく、例えば、それは、いくつかの実施例によると、７、８、９及び１０といったようなアンテナポートの一連の順序付けを含んでもよい、ということに注意すべきである。ＤＭ−ＲＳパターンを維持し且つアンテナポートマッピングを再定義することの利点は、ＤＭ−ＲＳの複数の時間周波数位置は変わらないので、受信機１１０が同じチャネル推定値の補間／外挿アルゴリズムを利用できるということである。
【００８５】
いくつかの実施例によると、ＤＭ−ＲＳ密度の減少は、例えば、既存のＤＭ−ＲＳパターンからいくつかのＲＥを取り除くことにより達成されてもよい。
【００８６】
そのような実施例は以前に提示し且つ考察された図５において示されており、ＤＭ−ＲＳを送信するために、元々の２４のＲＥのうちの１６のＲＥだけが使用される。しかしながら、これは限定しない例の単なる例示であり、異なる複数の実施例によると、他の複数のＤＭ−ＲＳシンボルが除去されてもよい。例えば、周波数領域のＲＢバンドリングが適用される場合、複数のチャネル推定値は、連続する複数のＲＢに配置される複数のＤＭ−ＲＳシンボルの間の周波数領域において補間されてもよい。図１−２及び／又は図４−５のいずれのＤＭ−ＲＳパターンについても、連続した複数のＲＢの間のバンドリングを考慮すると、複数のＤＭ−ＲＳシンボルの間の周波数に関する距離は均一ではない。これは、複数のチャネル推定値の不均一な精度を引き起こし得る。上に提示された図６は、ＤＭ−ＲＳを送信するための２４のＲＥのうちの８を使用するＤＭ−ＲＥパターンを示し、これは、いくつかの実施例によると、周波数領域におけるＤＭ−ＲＳシンボルの複数のグループの等距離の配置をもたらすＲＢバンドリングを適用するのに特に好適であり得る。
【００８７】
また、減少した参照信号の密度は、マルチサブフレームスケジューリングに対して特に有用であり得る。例えば、ＤＭ−ＲＳパターンにより占有される少なくとも１つのＲＥを使用した他の複数のチャネル（例えば、複数の報知チャネル及び複数の同期信号）及び複数の信号が存在する複数のサブフレームが存在するかもしれない。従って、衝突する複数のＲＥにおける複数のＤＭ−ＲＥシンボルは、必ずしも送信されなくてもよい。これは、効果的に、より低密度のＤＭ−ＲＳパターンをもたらす。従って、いくつかの実施例に従う１つの選択肢は、前のサブフレームからのＤＭ−ＲＳを現在のサブフレームのＤＭ−ＲＳと共に利用してもよい、ということである。代替的に、いくつかの実施例によると、前のサブフレームのＤＭ−ＲＳだけを現在のサブフレームに対して利用することができ、そして現在のＤＭ−ＲＳフレームにおいては、ＤＭ−ＲＳは送信されなくてもよい。これは、時間領域のバンドリング、又はＲＢバンドリングと呼ばれてもよい。
【００８８】
従って、本発明のいくつかの実施例によると、複数のＤＭ−ＲＳパターンは周波数領域及び／又は時間領域において、ＲＢバンドリングが適用される場合、周波数及び時間に関して、それぞれ、複数のＤＭ−ＲＳシンボルが均一に離間するように現れ得るような対称性を持つ。
【００８９】
本明細書に記載の複数の実施例は、ＯＦＤＭ又は離散フーリエ変換拡散（Ｄｉｓｃｒｅｔｅ  Ｆｏｕｒｉｅｒ  Ｔｒａｎｓｆｏｒｍ  Ｓｐｒｅａｄ）ＯＦＤＭ等の、マルチキャリアシステムに対して適用可能である。さらに、本発明の複数の実施例は、キャリアアグリゲーション有り又は無しの両方に対して適用可能であってもよい。また、本明細書に記載の複数の実施例は、異なる複数の実施例によると、スタンドアロンで展開可能な複数のキャリア又はキャリアアグリゲーションと共にだけ機能し得る複数のキャリアに対して適用可能であってもよい。
【００９０】
向上された理解と概要のために、本発明の上述した複数の実施例の少なくともいくつかの簡単な要約が続いて行われる。
【００９１】
本発明の態様は、無線通信システム１００において、受信機に固有の復調参照信号（Ｄｅｍｏｄｕｌａｔｉｏｎ  Ｒｅｆｅｒｅｎｃｅ  Ｓｉｇｎａｌｓ、ＤＭ−ＲＳ）を利用することにより、データ及び／又は制御情報を送信するための、無線ネットワークノード１２０における方法を含む。また、受信機固有という表現は、場合によっては、いくつかの用語において、ユーザ固有、又はＵＥ固有と呼ばれてもよい。当該方法は、少なくとも１つのサブフレームについて、少なくとも２つの異なるＤＭ−ＲＳパターンのセットを定めることを含む。さらに、当該方法は、定められた複数のＤＭ−ＲＳパターンからの１つのＤＭ−ＲＳパターンを、受信機１１０に対して割り当てることを含む。また、当該方法は、割り当てられたＤＭ−ＲＳパターンを使用して、前記データ及び／又は制御情報を送信することを含み、当該データ及び／又は制御情報は受信機１１０により受信される。
【００９２】
受信機１１０は、前記無線ネットワークノード１２０から送信された前記データ及び／又は制御情報のコヒーレント復調のためのチャネル推定において、前記割り当てられたＤＭ−ＲＳパターンを使用するように構成される。
【００９３】
少なくとも２つの異なるＤＭ−ＲＳパターンのセットの定義、すなわち、前記セットに含まれる複数のＤＭ−ＲＳパターンの選択は、受信機１１０から受信した、信号伝搬条件、セル固有のシグナリングに関する情報、又は事前に定義された複数の規則、に基づいて行われてもよい。
【００９４】
さらに、いくつかの実施例は、受信機１１０に対して割り当てられるＤＭ−ＲＳパターンの参照信号密度を調整することを含んでもよい。このような調整は、例えば、既存のＤＭ−ＲＳパターンの複数のＤＭ−ＲＳシンボルに対する複数のアンテナポートの再マッピングによる、より大きな参照信号密度の提供を含んでもよい。しかしながら、ＤＭ−ＲＳパターンの参照信号密度の調整は、代替的に、より小さい参照信号密度の提供を含んでもよい。いくつかの実施例によると、より小さい参照信号密度は、既存のＤＭ−ＲＳパターンから複数のＲＥのセットを除去することにより、達成されてもよい。
【００９５】
さらに、周波数領域及び／又は時間領域において、ＲＢバンドリングが適用される場合において、周波数領域における等間隔の複数のＤＭ−ＲＳシンボル位置の配置を含むＤＭ−ＲＳパターンが受信機１１０に割り当てられてもよい。
【００９６】
これにより、本発明の複数の実施例は、例えば、従来の下りリンクの制御領域が存在しない場合等において、セル固有のＣＲＳシグナリングに依存することなく、複数のシナリオ、特定の受信機１１０の信号伝搬条件に基づく参照信号密度の調整、及びマルチサブフレームスケジューリングについてもサポートすることができる。
【００９７】
図７は、無線通信システム１００の中の無線ネットワークノード１２０において使用する方法７００の複数の実施例を示すフローチャートである。方法７００は、複数の時間周波数リソースを含むサブフレームの中で、少なくとも１つのアンテナポートを介して情報エンティティを送信することを目的とする。また、これらの複数の時間周波数リソースは、複数のリソースエレメント（ＲＥ）と呼ばれてもよく、当該エンティティはサブキャリアにおいて複素値変調シンボルを搬送してもよい。データチャネルの中で送信される場合データを含み且つ制御チャネルにおいて送信される場合制御情報を含む前記情報エンティティは、無線通信システム１００において、受信機１１０により受信される。さらに、前記方法７００はまた、ＤＭ−ＲＳパターンを含む変調参照信号（ＤＭ−ＲＳ）をさらに送信することにより、受信機１１０による前記情報エンティティの復調を可能とすることを目的とする。前記ＤＭ−ＲＳパターンは、前記複数の時間周波数リソースの複数の位置のセットを含み、前記ＤＭ−ＲＳパターンの前記複数の位置は、前記情報エンティティの送信のための少なくとも１つのアンテナポートと関連付けられる。いくつかの実施例によると、ＤＭ−ＲＳパターンの中の前記複数の位置は、異なる複数の実施例によると、１つのアンテナポート、２つのアンテナポート、４つのアンテナポート又は８つのアンテナポートに関連付けられてもよい。しかしながら、特定の複数の実施例は、アンテナポートの他の数をサポートするように構成されてもよい。
【００９８】
いくつかの実施例によると、前記無線通信システム１００は、第３世代パートナーシッププロジェクト（３ＧＰＰ）内のロングタームエボルーション（ＬＴＥ）に基づいていもよく、前記無線ネットワークノード１２０は、例えば、拡張ノードＢを含んでもよい。受信機１１０は、ユーザ装置（Ｕｓｅｒ  Ｅｑｕｉｐｍｅｎｔ、ＵＥ）を含んでもよい。
【００９９】
いくつかの実施例によると、少なくとも２つのサブフレームにおけるリソースブロックバンドリングは、時間領域において適用されてもよい。少なくともそのようないくつかの実施例において、同じＤＭ−ＲＳが少なくとも２つのサブフレームであって、時間領域において互いにバンドルされる、少なくとも２つのサブフレーム、に対して使用されてもよい。
【０１００】
送信を適切に実行するために、前記方法７００は、いくつかの動作７０１−７０３を含んでもよい。
【０１０１】
しかしながら、説明される複数の動作７０１−７０３のいずれか、いくつか又は全ては、番号の付けられたリストに示すものとは若干異なる時間的順序で実行されてもよく、又は場合によっては、同時に実行されてもよい、ということに注意すべきである。方法７００は次の複数の動作を含んでもよい：
【０１０２】
動作７０１
少なくとも１つのサブフレームに対して、少なくとも２つの異なるＤＭ−ＲＳパターンのセットが定められる。
【０１０３】
いくつかの実施例において、データチャネル及び／又は制御チャネル等の少なくとも１つのチャネルが、少なくとも２つの異なるＤＭ−ＲＳパターンのセットと関連付けられる。
【０１０４】
いくつかの実施例によると、マルチキャリアシナリオにおける受信機１１０に対して、無線ネットワークノード１２０によりサービスの提供を受ける異なる複数のセルに対して、異なる複数のキャリアの異なる複数のセットの結合が少なくとも２つの異なるＤＭ−ＲＳパターンを含むように、複数のＤＭ−ＲＳパターンの異なる複数のセットが定義されてもよい。
【０１０５】
いくつかの実施例において、少なくとも１つのサブフレームに対して定義される少なくとも２つの異なるＤＭ−ＲＳパターンのセットは、異なる複数の参照信号密度を伴う複数のＤＭ−ＲＳパターンを含む。
【０１０６】
いくつかの実施例において、少なくとも１つのサブフレームに対して定義される少なくとも２つの異なるＤＭ−ＲＳパターンのセットは、第１の参照信号密度の第１のＤＭ−ＲＳパターン及び第２の参照信号密度の第２のＤＭ−ＲＳパターンを含んでもよい。第２の参照信号密度は、第１の参照信号密度よりも高くてもよい。また、いくつかの実施例において、第２のＤＭ−ＲＳパターンは、第１のＤＭ−ＲＳパターンに対して複数のＤＭ−ＲＳシンボルに対する複数の時間周波数リソースを加えることにより、及び／又は第１のＤＭ−ＲＳパターンに対してアンテナポートマッピングを再定義することにより、作成されてもよい。
【０１０７】
さらに、少なくとも１つのサブフレームに対して定義される少なくとも２つの異なるＤＭ−ＲＳパターンのセットは、第１の参照信号密度の第１のＤＭ−ＲＳパターン及び第２の参照信号密度の第２のＤＭ−ＲＳパターンを含んでもよく、第２の参照信号密度は第１の参照信号密度よりも低い。いくつかの実施例において、第２のＤＭ−ＲＳパターンは、第１のＤＭ−ＲＳパターンの中のいくつかの時間周波数リソースを除去することにより作成されてもよい。
【０１０８】
また、いくつかの実施例によると、少なくとも１つのサブフレームに対して定義される少なくとも２つの異なるＤＭ−ＲＳパターンのセットは、時間領域及び／又は周波数領域における複数の時間周波数リソースの複数の位置の異なる分布を伴う複数のＤＭ−ＲＳパターンを含んでもよい。
【０１０９】
そのような複数の実施例の少なくともいくつかにおいて、少なくとも１つのサブフレームに対して定義される少なくとも２つの異なるＤＭ−ＲＳパターンのセットは、時間領域及び／又は周波数領域における複数の時間周波数リソースの複数の位置の第１の分布を伴う第１のＤＭ−ＲＳパターン及び時間領域及び／又は周波数領域における複数の時間周波数リソースの複数の位置の第２の分布を伴う第２のＤＭ−ＲＳパターンを含んでもよく、時間領域及び／又は周波数領域における複数の時間周波数リソースの複数の位置の第２の分布は、時間領域及び／又は周波数領域における複数の時間周波数リソースの複数の位置の第１の分布を外すことにより作成されてもよい。
【０１１０】
動作７０２
７０１で定められた複数のＤＭ−ＲＳパターンのセットのうちの１つのＤＭ−ＲＳパターンが、受信機１１０に対して割り当てられる。
【０１１１】
いくつかの異なる実施例によると、受信機１１０に対するＤＭ−ＲＳパターンの割り当ては、無線ネットワークノード１２０及び受信機１１０の双方により知られる、事前に定められた複数の規則という手段により行われてもよい。
【０１１２】
いくつかの異なる実施例によると、受信機１１０に対するＤＭ−ＲＳパターンの割り当ては、無線ネットワークノード１２０により行われてもよく、そしていくつかの実施例によると、どのＤＭ−ＲＳパターンを使用するかを受信機１１０に知らせることの可能な情報は、受信機１１０に対して明示的にシグナリングされてもよい。
【０１１３】
さらに、いくつかの実施例によると、事前に定められた複数の規則及びシグナリングの組み合わせは、次に例示されるように適用されてもよい。
【０１１４】
少なくとも１つのサブフレームについて、異なる複数のＤＭ−ＲＳパターンが異なる複数の受信機１１０に割り当て可能であるといったように、いくつかの実施例によると、割り当てられたＤＭ−ＲＳパターンは、受信機に固有であってもよい。
【０１１５】
少なくとも１つのサブフレームについて、同じＤＭ−ＲＳパターンが異なる複数の受信機１１０に対して割り当て可能であるといったように、いくつかの実施例によると、割り当てられたＤＭ−ＲＳパターンは、セル固有であってもよい。
【０１１６】
いくつかの実施例によると、割り当てられたＤＭ−ＲＳパターンはセル固有であってもよく、そのキャリアにおいて送信される複数の参照信号の種別により決定される。
【０１１７】
いくつかの実施例において、ＤＭ−ＲＳパターンは、事前に定められた規則に基づき、受信機１１０に割り当てられてもよい。そのような事前に定められた規則は、複数アンテナ受信に関する受信機１１０の能力；変調；符号化方式；受信機１１０の利用されるアンテナポートの数；受信機１１０のシステムリリースの数；サブフレーム種別；変調に関連する送信パラメータ；符号化率；ＭＩＭＯモード；時間又は周波数バンドリングが適用されるかどうか；無線ネットワーク一時識別子（ＲＮＴＩ）及び／又はスケジュールされたリソースブロック（ＲＢ）の位置、のうちの、いずれか、いくつか、サブセット、又は全て、と関連してもよい。
【０１１８】
いくつかの実施例において、事前に定められた規則は、下りリンク制御チャネルの共通サーチ空間に対する事前に定められたＤＭ−ＲＳパターンの割り当てに関連してもよい。
【０１１９】
いくつかの実施例によると、割り当てられたＤＭ−ＲＳパターンは、報知チャネルに対して事前に定められてもよい。
【０１２０】
いくつかの代替実施例によると、報知チャネルの受信のために割り当てられたＤＭ−ＲＳパターンに関する情報は、セルサーチ手順の間に受信機１１０に対して与えられてもよい。
【０１２１】
さらに、いくつかの実施例によると、ランダムアクセスチャネルを介して受信機１１０により行われたシグナリングに対して行われた複数の応答は、データチャネルにおいて受信機１１０に対して送信されてもよく、且つ割り当てられたＤＭ−ＲＳパターンは、そのようなデータチャネルにおける複数の送信に対して事前に定められてもよく、当該ランダムアクセスチャネルを介する受信機シグナリングに対する複数の応答に関連してもよい。ランダムアクセスチャネルは、例えば、本発明がＬＴＥ環境において具体化される場合には、Ｒａｎｄｏｍ  Ａｃｃｅｓｓ  Ｃｈａｎｎｅｌ（ＲＡＣＨ）を含んでもよい。
【０１２２】
選択的に、事前に定められたＤＭ−ＲＳパターンは、下りリンクの制御チャネルに対して利用されてもよく、且つ７０１で定められた複数のＤＭ−ＲＳパターンのセットは、データチャネルに対して構成されてもよい。これらの複数の実施例において、下りリンクの制御チャネルを介して情報が受信機１１０に対してシグナリングされてもよく、７０１で定められた複数のＤＭ−ＲＳパターンのセットのうち、受信機１１０に割り当てられているどのＤＭ−ＲＳパターンがデータチャネルに対して使用されるかを示す。
【０１２３】
さらに、いくつかの実施例において、無線ネットワークノード１２０との通信を可能とするために、システム情報がデータチャネルにおいて受信機１１０に提供されてもよい。そのような複数の実施例において、割り当てられたＤＭ−ＲＳパターンは、システム情報に関連する複数のデータチャネルの送信に対して事前に定められてもよい。
【０１２４】
また、いくつかの実施例において、選択的に、割り当てられた複数のＤＭ−ＲＳパターンのセットに関する情報は、受信機固有の無線リソース制御シグナリングにより、受信機１１０に対してシグナリングされてもよい。
【０１２５】
いくつかの実施例において、割り当てられたＤＭ−ＲＳパターンは、巡回冗長検査（ＣＲＣ）エンティティとコードワードとをスクランブルし、割り当てられたＤＭ−ＲＳパターンについての情報を符号化することにより、報知チャネルを介して受信機１１０に対して提供されてもよい。
【０１２６】
ＣＲＣは、誤り検出符号であり、いくつかの実施例において、無線インターフェースを介して送信される情報及び／又はデータについて計算されてもよい。データの複数のブロックであって、それに対してＣＲＣが計算される、データの複数のブロックには、例えば、それらの内容の多項式除算の剰余に基づき、短いチェック値が添付される。受信機１１０が情報／データ及び添付されたチェックサムを受信する場合、当該情報／データにおいてＣＲＣ計算アルゴリズムが繰り返され、そして達成された結果は無線ネットワークノード１２０から受信されたチェックサムと比較されてもよい。
【０１２７】
いくつかの実施例によると、ＣＲＣチェックサムはコードワードと共にスクランブルされ、受信機１１０に対して割り当てられたＤＭ−ＲＳパターンを表す。そのようなスクランブリングは、異なってスクランブルされた複数のＣＲＣチェックサムを互いに区別できるようにするために、オリジナルのＣＲＣチェックサムに対する構成要素の加算又は乗算により達成されてもよく、或いはＣＲＣチェックサムのいくつかの重要な構成要素の変更により達成されてもよい。従って、複数のＤＭ−ＲＳパターンのセットの中の各ＤＭ−ＲＳパターンは、対応するコードワードと関連付けられてもよい。その結果、受信機１１０がデータ及び添付されたスクランブルＣＲＣチェックサムを受信した場合、受信した情報／データに対してＣＲＣ計算アルゴリズムを適用してもよく、第１のコードワードと共にそれをスクランブルし、且つその結果を無線ネットワークノード１２０から受信した添付のスクランブルされたチェックサムと比較してもよい。それらが一致する場合、受信機１１０は、第１のコードワードに関連づけられたＤＭ−ＲＳが使用されることを受信機１１０は知る。それらが一致しない場合、一致が検出されるまで、或いは如何なる成功した一致に遭遇することなく、全てのコードワードとのスクランブリング及び比較が行われるまで、上記概説した手順が繰り返されてもよい。このような場合には、送信誤りが発生している可能性があるため、受信機１１０は、無線ネットワークノード１２０に再送を要求してもよい。
【０１２８】
さらに、いくつかの実施例によると、周波数及び／又は時間領域において、リソースブロックバンドリングが適用され、割り当てられたＤＭ−ＲＳパターンは、それぞれ、周波数領域及び／又は時間領域において均等に離間した複数のＤＭ−ＲＳシンボルを含んでもよい。
【０１２９】
さらに、いくつかの選択的な実施例によると、少なくとも２つの異なるＤＭ−ＲＳパターンの複数のセル固有のセットが定義されてもよく７０１、その一方で、７０１で定められたセットからの複数のＤＭ−ＲＳパターンの割り当ては、受信機に固有であってもよい。
【０１３０】
さらなる追加において、マルチユーザマルチ入力マルチ出力（Ｍｕｌｔｉ  Ｕｓｅｒ  Ｍｕｌｔｉｐｌｅ−Ｉｎｐｕｔ  ａｎｄ  Ｍｕｌｔｉｐｌｅ−Ｏｕｔｐｕｔ、ＭＵ−ＭＩＭＯ）が実行される場合に、同じＤＭ−ＲＳパターンが異なる複数の受信機１１０に割り当てられてもよい。
【０１３１】
動作７０３
情報エンティティは、７０２で割り当てられたＤＭ−ＲＳパターンと関連付けられた少なくとも１つのアンテナポートにおいて送信され、受信機１１０により受信される。
【０１３２】
図８は、無線通信システム１００の中の無線ネットワークノード１２０を示すブロック図である。無線ネットワークノード１２０は、複数の時間周波数リソースを含むサブフレームの中で、少なくとも１つのアンテナポートを介して情報エンティティを送信するように構成される。また、これらの複数の時間周波数リソースは、複数のリソースエレメント（ＲＥ）と呼ばれてもよい。データチャネルの中で送信される場合データを含み且つ制御チャネルにおいて送信される場合制御情報を含む前記情報エンティティは、無線通信システム１００において、受信機１１０により受信される。さらに、無線ネットワークノード１２０はまた、ＤＭ−ＲＳパターンを含む変調参照信号（ＤＭ−ＲＳ）をさらに送信することにより、受信機１１０による前記情報エンティティの復調を可能とするように構成される。前記ＤＭ−ＲＳパターンは、前記複数の時間周波数リソースの複数の位置のセットを含み、前記ＤＭ−ＲＳパターンの前記複数の位置は、前記情報エンティティの送信のための少なくとも１つのアンテナポートと関連付けられる。
【０１３３】
いくつかの実施例によると、前記無線通信システム１００は、第３世代パートナーシッププロジェクト（３ＧＰＰ）内のロングタームエボルーション（ＬＴＥ）に基づいていもよく、前記無線ネットワークノード１２０は、例えば、拡張ノードＢを含んでもよい。受信機１１０は、ユーザ装置（Ｕｓｅｒ  Ｅｑｕｉｐｍｅｎｔ、ＵＥ）を含んでもよい。
【０１３４】
無線ネットワークノード１２０は、情報エンティティを送信するための動作７０１−７０３のいずれか、いくつか又は全てに従って、上述の方法７００の異なる複数の実施例を実行するように構成される。
【０１３５】
明確さの向上のために、本明細書に記載される複数の実施例を理解するのに完全には必須でない、無線ネットワークノード１２０の任意の内部電子機器又は他の構成要素は、図８から省略されている。
【０１３６】
無線ネットワークノード１２０は、少なくとも１つのサブフレームについて、少なくとも２つの異なるＤＭ−ＲＳパターンのセットを定義するために構成された処理回路８２０を備える。また、処理回路８２０は、複数のＤＭ−ＲＳパターンの定められたセットからの１つのＤＭ−ＲＳパターンを受信機１１０に割り当てるように構成される。
【０１３７】
処理回路８２０は、例えば、中央処理装置（ＣＰＵ）、処理装置、処理回路、プロセッサ、特定用途向け集積回路（ＡＳＩＣ）、マイクロプロセッサ、又は複数の命令を解釈し且つ実行することができる処理論理部のうちの１つ以上の実例を含んでもよい。従って、本明細書で利用される「処理回路（ｐｒｏｃｅｓｓｉｎｇ  ｃｉｒｃｕｉｔ）」という表現は、例えば、上に列挙された複数のもののうちのいずれか、いくつか又は全て等の、複数の処理回路を含む処理回路素子（ｐｒｏｃｅｓｓｉｎｇ  ｃｉｒｃｕｉｔｒｙ）のことを表してもよい。
【０１３８】
処理回路８２０は、さらに、呼処理制御、ユーザインターフェース制御等の、データバッファリング及びデバイス制御機能を含む入力、出力、及びデータ処理のためのデータ処理機能を実行してもよい。
【０１３９】
さらに、無線ネットワークノード１２０は、割り当てられたＤＭ−ＲＳパターンに関連付けられた少なくとも１つのアンテナポートにおいて、情報エンティティを送信するように構成される送信部８３０を備える。
【０１４０】
さらに、いくつかの実施例によると、無線ネットワークノード１２０は、無線インターフェースを介して複数の無線信号を受信するように構成される受信部８１０を備えてもよい。いくつかの実施例によると、複数の無線信号は、例えば、受信機１１０、又は無線通信のために構成される任意の他のエンティティから受信されてもよい。
【０１４１】
さらに、いくつかの実施例によると、無線ネットワークノード１２０は、少なくとも１つのメモリ８２５を備えてもよい。メモリ８２５は、一時的又は永続的に、データ又は複数のプログラム、すなわち、複数の命令の複数のシーケンス、を記憶するために利用される物理的な装置を含んでもよい。いくつかの実施例によると、メモリ８２５は、シリコンベースの複数のトランジスタを含む複数の集積回路を含んでもよい。さらに、メモリ８２５は揮発性又は不揮発性であってもよい。
【０１４２】
無線ネットワークノード１２０で実行される動作７０１−７０３は、動作７０１−７０３の複数の機能を実行するためのコンピュータプログラムコードと共に、無線ネットワークノード１２０の１つ以上の処理回路８２０により実行されてもよい。従って、無線ネットワークノード１２０における動作７０１−７０３を実行するための複数の命令を含むコンピュータプログラム製品は、コンピュータプログラムコードの複数の命令が処理回路８２０にロードされた場合、複数の時間周波数リソースを含むサブフレームの中で、少なくとも１つのアンテナポートを介して、無線通信システム１００の中の受信機１１０に対する情報エンティティの送信を実行してもよく、且つＤＭ−ＲＳパターンを含む復調参照信号（ＤＭ−ＲＳ）を受信機１１０にさらに送信することにより、受信機１１０による当該情報エンティティの復調を可能としてもよい。
【０１４３】
上述したコンピュータプログラム製品は、例えば、処理回路８２０にロードされた場合に、いくつかの実施例に従う動作７０１−７０３のうちの少なくともいくつかを実行するためのコンピュータプログラムコードを保持するデータキャリアの形態で提供されてもよい。データキャリアは、例えば、ハードディスク、ＣＤ−ＲＯＭディスク、メモリスティック、光記憶装置、磁気記憶装置、又は機械可読データを非一時的な方法で保持するディスク又はデータ等の、その他の任意の適切な媒体であってもよい。コンピュータプログラム製品は、さらに、サーバにおけるコンピュータプログラムコードとして提供されてもよく、そして、例えば、インターネット又はイントラネット接続を介して、遠隔で無線ネットワークノード１２０にダウンロードされてもよい。
【０１４４】
図９は、無線通信システム１００の中の受信機１１０において使用する方法９００の複数の実施例を示すフローチャートである。方法９００は、複数の時間周波数リソースを含むサブフレームの中で、少なくとも１つのアンテナポートを介して情報エンティティを受信することを目的とし、当該情報エンティティは、無線通信システム１００の中の無線ネットワークノード１２０から受信される。また、前記情報エンティティの復調は、前記複数の時間周波数リソースの複数の位置のセットを含むＤＭ−ＲＳパターンを含む復調参照信号、ＤＭ−ＲＳを受信することにより可能とされ、ＤＭ−ＲＳパターンの中の複数の位置は、前記情報エンティティの受信のための少なくとも１つのアンテナポートと関連付けられる。異なる複数の実施例において、前記情報エンティティは、データ又は制御情報を含んでもよい。
【０１４５】
さらに、データチャネル又は制御チャネル等の少なくとも１つのチャネルは、少なくとも２つの異なるＤＭ−ＲＳパターンのセットと関連付けられてもよい。
【０１４６】
いくつかの実施例によると、少なくとも１つのサブフレームについて、異なる複数のＤＭ−ＲＳパターンが異なる複数の受信機１１０により取得可能であるといったように、ＤＭ−ＲＳパターンは、受信機に固有であってもよい。
【０１４７】
しかしながら、いくつかの実施例によると、少なくとも１つのサブフレームについて、同じ複数のＤＭ−ＲＳパターンが異なる複数の受信機１１０に対して割り当て可能であるといったように、ＤＭ−ＲＳパターンは、セル固有であってもよい。
【０１４８】
さらに、ＤＭ−ＲＳパターンは、そのキャリアにおいて送信される複数の参照信号の種別により決定されるキャリア種別に基づき、セル固有であってもよい。
【０１４９】
チャネル推定に利用されるＤＭ−ＲＳパターンは、いくつかの実施例に従う事前に定められた規則に基づいてもよい。そのような複数の実施例において、当該事前に定められた規則は、複数アンテナ受信に関する受信機１１０の能力；変調；符号化方式；受信機１１０の利用されるアンテナポートの数；受信機１１０のシステムリリースの数；サブフレーム種別；変調に関連する送信パラメータ；符号化率；ＭＩＭＯモード；時間又は周波数バンドリングが適用されるかどうか；無線ネットワーク一時識別子、ＲＮＴＩ、及び／又はスケジュールされたリソースブロック（ＲＢ）、ＲＢの位置、のうちの、いずれか、いくつか、サブセット、又は全て、と関連してもよい。
【０１５０】
いくつかの実施例において、また、事前に定められた規則は、下りリンク制御チャネルの共通サーチ空間に対する事前に定められたＤＭ−ＲＳパターンに関連してもよい。
【０１５１】
いくつかの実施例において、ＤＭ−ＲＳパターンは、物理報知チャネルに対して事前に定められてもよい。
【０１５２】
いくつかの実施例によると、前記無線通信システム１００は、第３世代パートナーシッププロジェクト（３ＧＰＰ）内のロングタームエボルーション（ＬＴＥ）に基づいていもよく、前記無線ネットワークノード１２０は、例えば、拡張ノードＢを含んでもよい。受信機１１０は、ユーザ装置（Ｕｓｅｒ  Ｅｑｕｉｐｍｅｎｔ、ＵＥ）を含んでもよい。
【０１５３】
いくつかの実施例によると、少なくとも２つのサブフレームにおけるリソースブロックバンドリングは、時間領域において適用されてもよい。少なくともそのようないくつかの実施例において、同じＤＭ−ＲＳが少なくとも２つのサブフレームであって、時間領域において互いにバンドルされる、少なくとも２つのサブフレーム、に対して使用されてもよい。
【０１５４】
さらに、いくつかの実施例によると、周波数及び／又は時間領域において、リソースブロックバンドリングが適用され、ＤＭ−ＲＳパターンは、それぞれ、周波数領域及び／又は時間領域において均等に離間した複数のＤＭ−ＲＳシンボルを含んでもよい。
【０１５５】
情報エンティティの受信を適切に実行するために、方法９００は、いくつかの動作９０１−９０２を含んでもよい。
【０１５６】
しかしながら、説明される複数の動作９０１−９０２のいずれか、いくつか又は全ては、番号の付けられたリストに示すものとは若干異なる時間的順序で実行されてもよく、又は場合によっては、同時に実行されてもよい、ということに注意すべきである。方法９００は次の複数の動作を含んでもよい：
【０１５７】
動作９０１
チャネル推定に利用されるＤＭ−ＲＳパターンに関連する情報が取得される。
【０１５８】
いくつかの実施例において、ＭＤ−ＲＳパターンは事前に定められ、ＤＭ−ＲＳパターンの取得は、当該事前に定められたＤＭ−ＲＳパターンを取得し且つ適用することを含む。
【０１５９】
いくつかの実施例において、ＤＭ−ＲＳパターンに関する情報は、受信機１１０から無線ネットワークノード１２０にシグナリングされる。いくつかのそのような実施例によると、報知チャネルの受信のためのＤＭ−ＲＳパターンに関する情報は、セルサーチ手順の間に取得、すなわち、受信されてもよい。
【０１６０】
しかしながら、いくつかの実施例において、受信機１１０によりランダムアクセスチャネルで前に行われたシグナリングに応答して、データチャネルで無線ネットワークノード１２０からの送信が受信され、そして、ＤＭ−ＲＳパターンは、ランダムアクセスチャネルにおける受信機のシグナリングに対する複数のレスポンスに関連するデータチャネルにおけるそのような複数の送信に対して事前に定められてもよい。
【０１６１】
さらに、いくつかの実施例において、事前に定められたＤＭ−ＲＳパターンは、下りリンクの制御チャネルに対して利用され且つ複数のＤＭ−ＲＳパターンのセットは、データチャネルに対して構成される。下りリンクの制御チャネルを介して情報が無線ネットワークノード１２０から取得されてもよく、受信機１１０に対して割り当てられているどのＤＭ−ＲＳパターンがデータチャネルに対して使用されるかを示す。
【０１６２】
いくつかの実施例において、無線ネットワークノード１２０との通信を可能とするために、データチャネルにおいてシステム情報が取得されてもよい。そのような複数の実施例の少なくともいくつかにおいて、ＤＭ−ＲＳパターンは、システム情報に関連する複数のデータチャネルの送信に対して事前に定められてもよい。
【０１６３】
しかしながら、いくつかの実施例によると、複数のＤＭ−ＲＳパターンに関する情報は、受信機固有の無線リソース制御シグナリングによる無線ネットワークノード１２０からのシグナリングにより情報を受信することによって取得されてもよい。
【０１６４】
また、特定の複数の実施例によると、ＤＭ−ＲＳパターンは、巡回冗長検査（ＣＲＣ）エンティティとコードワードとをデスクランブルし、利用されるＤＭ−ＲＳパターンの情報を復号化することにより、報知チャネルを介して取得されてもよい。
【０１６５】
動作９０２
情報エンティティは、チャネル推定に利用されるＤＭ−ＲＳパターンと関連付けられたアンテナポートにおいて、無線ネットワークノード１２０から受信される。
【０１６６】
図１０は、無線通信システム１００の中の受信機１１０を示すブロック図である。受信機１１０は、複数の時間周波数リソースを含むサブフレームにおいて、少なくとも１つのアンテナポートを介して、情報エンティティであって、無線通信システム１００の無線ネットワークノード１２０から受信される、情報エンティティ、を受信するように構成される。また、情報エンティティの復調は、前記複数の時間周波数リソースの複数の位置のセットを含むＤＭ−ＲＳパターンを含む復調参照信号、ＤＭ−ＲＳ、を受信することにより可能とされ、前記ＤＭ−ＲＳの中の前記複数の位置は、情報エンティティの受信のための少なくとも１つのアンテナポートと関連付けられる。異なる複数の実施例において、情報エンティティは、データ又は制御情報を含んでもよい。
【０１６７】
いくつかの実施例によると、前記無線通信システム１００は、第３世代パートナーシッププロジェクト（３ＧＰＰ）内のロングタームエボルーション（ＬＴＥ）に基づいていもよく、前記無線ネットワークノード１２０は、例えば、拡張ノードＢを含んでもよい。いくつかの実施例において、受信機１１０は、ユーザ装置（Ｕｓｅｒ  Ｅｑｕｉｐｍｅｎｔ、ＵＥ）を含んでもよい。
【０１６８】
受信機１１０は、情報エンティティを受信するための動作９０１−９０２のいずれか、いくつか又は全てを実行するように構成されてもよい。
【０１６９】
明確さの向上のため、本明細書に記載される複数の実施例を理解するのに完全には必須でない、受信機１１０の任意の内部電子機器又は他の構成要素は、図１０から省略されている。
【０１７０】
前述の方法９００のいずれかの実施例によると、受信機１１０は、チャネル推定に利用されるＤＭ−ＲＳパターンに関連する情報を取得するために構成される処理回路１０２０を備える。
【０１７１】
処理回路１０２０は、例えば、中央処理装置（ＣＰＵ）、処理装置、処理回路、プロセッサ、特定用途向け集積回路（ＡＳＩＣ）、マイクロプロセッサ、又は複数の命令を解釈し且つ実行することができる処理論理部のうちの１つ以上の実例を含んでもよい。従って、本明細書で利用される「処理回路（ｐｒｏｃｅｓｓｉｎｇ  ｃｉｒｃｕｉｔ）」という表現は、例えば、上に列挙された複数のもののうちのいずれか、いくつか又は全て等の、複数の処理回路を含む処理回路素子（ｐｒｏｃｅｓｓｉｎｇ  ｃｉｒｃｕｉｔｒｙ）のことを表してもよい。
【０１７２】
処理回路１０２０は、さらに、呼処理制御、ユーザインターフェース制御等の、データバッファリング及びデバイス制御機能を含む入力、出力、及びデータ処理のためのデータ処理機能を実行してもよい。
【０１７３】
さらに、受信機１１０は、取得されたＤＭ−ＲＳパターンと関連付けられたアンテナポートにおいて、無線ネットワークノード１２０からの情報エンティティを受信するように構成される受信部１０１０を備える。
【０１７４】
また、いくつかの実施例によると、受信機１１０は、複数の無線信号を送信するために構成される送信部１０３０を備えてもよい。
【０１７５】
さらに、いくつかの実施例によると、受信機１１０は、少なくとも１つのメモリ１０２５を備えてもよい。メモリ１０２５は、一時的又は永続的に、データ又は複数のプログラム、すなわち、複数の命令の複数のシーケンス、を記憶するために利用される物理的な装置を含んでもよい。いくつかの実施例によると、メモリ１０２５は、シリコンベース複数のトランジスタを含むの複数の集積回路を含んでもよい。さらに、メモリ１０２５は揮発性又は不揮発性であってもよい。
【０１７６】
受信機１１０で実行される動作９０１−９０２は、動作９０１−９０２の複数の機能を実行するためのコンピュータプログラムコードと共に、受信機１１０の１つ以上の処理回路１０２０により実行されてもよい。従って、受信機１１０における動作９０１−９０２を実行するための複数の命令を含むコンピュータプログラム製品は、コンピュータプログラムコードの複数の命令が処理回路１０２０にロードされた場合、複数の時間周波数リソースを含むサブフレームの中で、少なくとも１つのアンテナポートを介して、無線通信システム１００の中の無線ネットワークノード１０２０からの情報エンティティの受信を実行してもよく、且つＤＭ−ＲＳパターンを含む無線ネットワークノード１２０からの復調参照信号（ＤＭ−ＲＳ）をさらに受信することにより、受信機１１０による当該情報エンティティの復調を可能としてもよい。
【０１７７】
上述したコンピュータプログラム製品は、例えば、処理回路１０２０にロードされた場合に、いくつかの実施例に従う動作９０１−９０２のうちの少なくともいくつかを実行するためのコンピュータプログラムコードを保持するデータキャリアの形態で提供されてもよい。データキャリアは、例えば、ハードディスク、ＣＤ−ＲＯＭディスク、メモリスティック、光記憶装置、磁気記憶装置、又は機械可読データを非一時的な方法で保持するディスク又はデータ等の、その他の任意の適切な媒体であってもよい。コンピュータプログラム製品は、さらに、サーバにおけるコンピュータプログラムコードとして提供されてもよく、そして、例えば、インターネット又はイントラネット接続を介して、遠隔で受信機１１０にダウンロードされてもよい。
【０１７８】
さらに、例示により及び理解を容易にするために、所望の信号のレベルとバックグラウンドノイズと信号妨害のレベルとの間の比である干渉及び信号雑音比（Ｓｉｇｎａｌ  ｔｏ  Ｉｎｔｅｒｆｅｒｅｎｃｅ  ａｎｄ  Ｎｏｉｓｅ  Ｒａｔｉｏ）を説明する場合において、このテキストにおいてはＳＩＮＲという用語が一貫して使用されている、ということに注意してもよい。この比が高いほど、バックグラウンドノイズは突出しなくなる。しかしながら、場合によっては同じ又は類似の比率を記述するために使用される、例えば、信号対雑音比（Ｓｉｇｎａｌ  ｔｏ  Ｎｏｉｓｅ  Ｒａｔｉｏ、ＳＮＲ又はＳ／Ｎ）、信号対雑音及び干渉比（Ｓｉｇｎａｌ  ｔｏ  Ｎｏｉｓｅ  ａｎｄ  Ｉｎｔｅｒｆｅｒｅｎｃｅ  Ｒａｔｉｏ、ＳＮＩＲ）、信号対雑音及び干渉比（Ｓｉｇｎａｌ  ｔｏ  ｎｏｉｓｅ  ａｎｄ  Ｉｎｔｅｒｆｅｒｅｎｃｅ  Ｒａｔｉｏ、ＳＩＲ）又は干渉対信号比（ＩＳＲ）のような当該比の反転等の、他の複数の略語が存在する。これら又は類似の複数の比のうちのいずれかが、本開示の文脈において、ＳＩＮＲの代わりに利用されてもよい。
【０１７９】
本発明の詳細な説明において使用される用語は、添付の図面に示されるように、説明された方法７００、９００、無線ネットワークノード１２０及び受信機１１０を限定することを意図するものではなく、そうではなくて、それらは、添付の複数の特許請求項により限定される。
【０１８０】
本明細書で使用される場合、用語「及び／又は（ａｎｄ／ｏｒ）」は、関連付けられ列挙された複数の項目のうちの１つ以上の複数の組み合わせのいずれか及び全てを含む。また、単数形である「ａ」、「ａｎ」及び「ｔｈｅ」は、「少なくとも１つ」として解釈されるべきであり、従ってさらに、そうでないことが明示的に明記されない限り、複数形を含む。用語「ｉｎｃｌｕｄｅｓ」、「ｃｏｍｐｒｉｓｅｓ」、「ｉｎｃｌｕｄｉｎｇ」及び／又は「ｃｏｍｐｒｉｓｉｎｇ」は、記載された特徴、動作、整数、ステップ、操作、要素、及び／又は構成要素の存在を明示するが、１つ以上の他の特徴、動作、整数、ステップ、操作、要素、構成要素、及び／又はそれらのグループの存在又は追加を排除するものではない、ということがさらに理解されるであろう。
【図１】
0006018709.tif 000002
【図２】
0006018709.tif 000003
【図３】
0006018709.tif 000004
【図４】
0006018709.tif 000005
【図５】
0006018709.tif 000006
【図６】
0006018709.tif 000007
【図７】
0006018709.tif 000008
【図８】
0006018709.tif 000009
【図９】
0006018709.tif 000010
【図１０】
0006018709.tif 000011